(57)【特許請求の範囲】
【請求項１】
投入された貨幣を着脱可能な収納袋に収納させる収納処理部と、
投入された貨幣を計数する計数部と、
制御部と、
記憶部と、を備え、
前記制御部は、
１つの前記収納袋に対する貨幣の収納を複数の取引について受け付け、
前記１つの収納袋に収納された貨幣の計数結果を前記取引ごとに前記記憶部に記憶させ、
さらに、同一の前記収納袋に貨幣を収納させる全ての前記取引に対する処理が終了したときに操作されるボタンを備え、
前記収納処理部は、前記ボタンが操作されると、前記収納袋の開口を封止する、
ことを特徴とする貨幣処理装置。
【請求項２】
投入された貨幣を着脱可能な収納袋に収納させる収納処理部と、
投入された貨幣を計数する計数部と、
制御部と、
記憶部と、を備え、
前記制御部は、
１つの前記収納袋に対する貨幣の収納を複数の取引について受け付け、
前記１つの収納袋に収納された貨幣の計数結果を前記取引ごとに前記記憶部に記憶させ、
前記１つの収納袋に対する前記複数の取引のうち、第１の取引に続く第２の取引に対する処理において所定の条件が充足された場合、前記第１の取引以前の各取引について前記記憶部に記憶された前記計数結果を用いて、前記複数の取引に対する処理を再度実行する、
ことを特徴とする貨幣処理装置。
【請求項３】
前記所定の条件は、貨幣を前記収納袋に搬送する搬送部において貨幣の詰まりが生じたことを含み、
前記制御部は、前記再実行時の処理において前記計数部により計数された貨幣の計数結果から、前記第１の取引以前の取引について前記記憶部に記憶された前記計数結果を差し引いた値を、前記第２の取引に対する計数結果として、前記記憶部に記憶させる、
ことを特徴とする請求項２に記載の貨幣処理装置。
【請求項４】
前記所定の条件は、前記第２の取引に対する処理をやり直す操作入力を受け付けたことを含み、
前記制御部は、前記再実行時の処理において前記計数部により計数された貨幣の計数結果から、前記第１の取引以前の取引について前記記憶部に記憶された前記計数結果を差し引いた値を、前記第２の取引に対する計数結果として、前記記憶部に記憶させる、
ことを特徴とする請求項２または３に記載の貨幣処理装置。
【請求項５】
前記収納袋以外の他の収納部を備え、
前記所定の条件は、前記第２の取引を取り消す操作入力を受け付けたことを含み、
前記制御部は、前記再実行時の処理において前記１つの収納袋に収納される貨幣の計数結果が、前記第１の取引以前の各取引について前記記憶部に記憶された前記計数結果に整合するように、前記再実行時に投入された貨幣を前記収納袋と前記他の収納部とに振り分ける、
ことを特徴とする請求項２ないし４の何れか一項に記載の貨幣処理装置。
【請求項６】
前記収納袋の満杯を検出するための検出部を備え、
前記第２の取引を取り消す操作入力は、前記第２の取引に対する処理の途中で前記満杯が検出されたことに応じてなされる、前記第２の取引を取り消す操作入力を含む、
ことを特徴とする請求項５に記載の貨幣処理装置。
【請求項７】
投入された貨幣を着脱可能な収納袋に収納させる収納処理部と、
投入された貨幣を計数する計数部と、
制御部と、
記憶部と、
前記収納袋の満杯を検出するための検出部と、を備え、
前記制御部は、
１つの前記収納袋に対する貨幣の収納を複数の取引について受け付け、
前記１つの収納袋に収納された貨幣の計数結果を前記取引ごとに前記記憶部に記憶させ、
前記取引に対する処理の途中で前記満杯が検出されたことに基づいて、当該取引の残りの貨幣を前記収納処理部に装着される新たな前記収納袋に収納するための処理を実行し、
前記残りの貨幣を前記新たな収納袋に収納した場合は、当該取引において前記各収納袋に収納された貨幣の計数結果を、同じ取引に対する計数結果であることを示す情報とともに、前記記憶部に記憶させる、
ことを特徴とする貨幣処理装置。
【請求項８】
情報を出力する出力部を備え、
前記制御部は、前記１つの収納袋に収納された貨幣の前記計数結果を前記出力部に出力させる、
ことを特徴とする請求項１ないし７の何れか一項に記載の貨幣処理装置。
【請求項９】
投入された貨幣を着脱可能な収納袋に収納させる収納処理部と、
投入された貨幣を計数する計数部と、
制御部と、
記憶部と、
情報を出力する出力部と、を備え、
前記制御部は、
１つの前記収納袋に対する貨幣の収納を複数の取引について受け付け、
前記１つの収納袋に収納された貨幣の計数結果を前記取引ごとに前記記憶部に記憶させ、
前記１つの収納袋に収納された貨幣の前記計数結果を前記出力部に出力させ、
前記収納処理部は、印刷領域を有する封止部材で前記収納袋の開口を封止し、
前記出力部は、前記収納袋を封止する前記封止部材の前記印刷領域に当該収納袋に収納されている前記貨幣の計数結果および当該収納袋の識別情報の少なくとも一方を印刷する、
ことを特徴とする貨幣処理装置。
【請求項１０】
前記出力部は、前記記憶部において前記収納袋に対応付けられている前記取引を示す情報をさらに前記印刷領域に印刷する、
ことを特徴とする請求項９に記載の貨幣処理装置。
【請求項１１】
投入された貨幣を着脱可能な収納袋に収納させる収納処理部と、
投入された貨幣を計数する計数部と、
制御部と、
記憶部と、を備え、
前記制御部は、
１つの前記収納袋に対する貨幣の収納を複数の取引について受け付け、
前記１つの収納袋に収納された貨幣の計数結果を前記取引ごとに前記記憶部に記憶させ、
消去対象の前記収納袋を特定する消去特定情報の入力を受け付け、
前記消去特定情報により特定される前記収納袋に対応付けられた全ての前記取引の前記計数結果を前記記憶部から消去する、
ことを特徴とする貨幣処理装置。
【請求項１２】
前記消去特定情報は、前記収納袋の識別情報および前記取引の識別情報の少なくとも一方を含む、
ことを特徴とする請求項１１に記載の貨幣処理装置。
【請求項１３】
投入された貨幣を着脱可能な収納袋に収納させる収納処理部と、
投入された貨幣を計数する計数部と、
制御部と、
記憶部と、を備え、
前記制御部は、
１つの前記収納袋に対する貨幣の収納を複数の取引について受け付け、
前記１つの収納袋に収納された貨幣の計数結果を前記取引ごとに前記記憶部に記憶させ、
集計対象の前記収納袋を特定する集計特定情報の入力を受け付け、
前記集計特定情報により特定される前記収納袋の前記計数結果を前記記憶部から読み出して集計し、集計結果を出力させる、
ことを特徴とする貨幣処理装置。
【発明の詳細な説明】
【技術分野】
【０００１】
本発明は、貨幣を処理する貨幣処理装置に関する。
【背景技術】
【０００２】
従来、ホッパーに投入された硬貨を着脱可能な収納袋に収納する硬貨処理装置が知られている。この種の硬貨処理装置が、たとえば、特許文献１に記載されている。
【０００３】
この硬貨処理装置では、ホッパーに投入された硬貨が計数されて収納袋に収納される。ホッパー内の硬貨に対する処理が終了すると、封止手段によって収納袋の開口が封止され、収納袋の取り外しが可能となる。
【先行技術文献】
【特許文献】
【０００４】
【特許文献１】特開２０１９−０７９３２７号公報
【発明の概要】
【発明が解決しようとする課題】
【０００５】
特許文献１の硬貨処理装置では、取引ごとに、硬貨が装置に投入されて収納袋に収納される。このため、ユーザは、取引ごとに収納袋を準備して装置にセットする必要がある。このような作業は、煩雑である。また、ユーザは、複数回の取引に備えて、多数の収納袋を予め用意しておく必要がある。
【０００６】
かかる課題に鑑み、本発明は、より少数の収納袋で適切かつ効率的に、収納袋を用いた貨幣の処理を行うことが可能な貨幣処理装置を提供することを目的とする。
【課題を解決するための手段】
【０００７】
本発明の第１の態様は、貨幣処理装置に関する。本態様に係る貨幣処理装置は、投入された貨幣を着脱可能な収納袋に収納させる収納処理部と、投入された貨幣を計数する計数部と、制御部と、記憶部と、を備える。前記制御部は、１つの前記収納袋に対する貨幣の収納を複数の取引について受け付け、前記１つの収納袋に収納された貨幣の計数結果を前記取引ごとに前記記憶部に記憶させる。本態様に係る貨幣処理装置は、さらに、同一の前記収納袋に貨幣を収納させる全ての前記取引に対する処理が終了したときに操作されるボタンを備える。前記収納処理部は、前記ボタンが操作されると、前記収納袋の開口を封止する。
【０００８】
上記の構成によれば、複数の取引について貨幣が纏めて１つの収納袋に収納される。よって、装置に対する収納袋の着脱回数を低減でき、ユーザの作業負担を軽減できる。また、複数の取引に対して１つの収納袋が用いられるため、多数の収納袋を用意しておかなくてもよい。よって、収納袋に掛かる費用と収納袋の保管スペースを削減できる。また、１つの収納袋に収納された貨幣の計数結果が、取引ごとに、記憶部に記憶される。このため、１つの収納袋を用いた複数取引に対する貨幣の処理を、適切に管理できる。
【０００９】
本発明の第２の態様は、貨幣処理装置に関する。本態様に係る貨幣処理装置は、投入された貨幣を着脱可能な収納袋に収納させる収納処理部と、投入された貨幣を計数する計数部と、制御部と、記憶部と、を備える。前記制御部は、１つの前記収納袋に対する貨幣の収納を複数の取引について受け付け、前記１つの収納袋に収納された貨幣の計数結果を前記取引ごとに前記記憶部に記憶させ、前記１つの収納袋に対する前記複数の取引のうち、第１の取引に続く第２の取引に対する処理において所定の条件が充足された場合、前記第１の取引以前の各取引について前記記憶部に記憶された前記計数結果を用いて、前記複数の取引に対する処理を再度実行する。
【００１０】
上記の構成によれば、処理の再実行時に、第１の取引以前の各取引について記憶部に記憶されている計数結果を有効に活用しながら、複数の取引に対する処理を円滑に再度実行できる。
【００１１】
上記の構成とされた場合、前記所定の条件は、貨幣を前記収納袋に搬送する搬送部において貨幣の詰まりが生じたことを含み、前記制御部は、前記再実行時の処理において前記計数部により計数された貨幣の計数結果から、前記第１の取引以前の取引について前記記憶部に記憶された前記計数結果を差し引いた値を、前記第２の取引に対する計数結果として、前記記憶部に記憶させるような構成とされ得る。
【００１２】
このような構成とされれば、処理の再実行時に、記憶部に記憶されている第１の取引以前の各取引の計数結果から、第２の取引における貨幣の計数結果を適正に求めて記憶部に記憶させることができる。
【００１３】
本態様に係る貨幣処理装置において、前記所定の条件は、前記第２の取引に対する処理をやり直す操作入力を受け付けたことを含み、前記制御部は、前記再実行時の処理において前記計数部により計数された貨幣の計数結果から、前記第１の取引以前の取引について前記記憶部に記憶された前記計数結果を差し引いた値を、前記第２の取引に対する計数結果として、前記記憶部に記憶させるような構成とされ得る。
【００１４】
上記の構成によれば、処理の再実行時に、記憶部に記憶されている第１の取引以前の各取引の計数結果から、第２の取引における貨幣の計数結果を適正に求めて記憶部に記憶させることができる。
【００１５】
本態様に係る貨幣処理装置において、前記収納袋以外の他の収納部を備え得る。前記所定の条件は、前記第２の取引を取り消す操作入力を受け付けたことを含み、前記制御部は、前記再実行時の処理において前記１つの収納袋に収納される貨幣の計数結果が、前記第１の取引以前の各取引について前記記憶部に記憶された前記計数結果に整合するように、前記再実行時に投入された貨幣を前記収納袋と前記他の収納部とに振り分けるような構成とされ得る。
【００１６】
上記の構成によれば、処理の再実行時に、記憶部に記憶されている第１の取引以前の各取引の計数結果に整合する貨幣を１つの収納袋に適正に収納させながら、第２の取引における貨幣の処理を取り消すことができる。また、第２の取引に対する貨幣は他の収納部に振り分けられるため、他の収納部から第２の取引に対する貨幣を円滑に取り出すことができる。
【００１７】
上記の構成とされた場合、前記収納袋の満杯を検出するための検出部を備え得る。この場合、前記第２の取引を取り消す操作入力は、前記第２の取引に対する処理の途中で前記満杯が検出されたことに応じてなされる、前記第２の取引を取り消す操作入力を含むような構成とされ得る。
【００１８】
このような構成とされれば、第２の取引に対する処理の途中で収納袋が満杯になった場合、ユーザは、第２の取引を取り消して、第１の取引以前の各取引に対する貨幣を１つの収納袋に収納させることができる。
【００１９】
本発明の第３の態様は、貨幣処理装置に関する。本態様に係る貨幣処理装置は、投入された貨幣を着脱可能な収納袋に収納させる収納処理部と、投入された貨幣を計数する計数部と、制御部と、記憶部と、前記収納袋の満杯を検出するための検出部と、を備える。前記制御部は、１つの前記収納袋に対する貨幣の収納を複数の取引について受け付け、前記１つの収納袋に収納された貨幣の計数結果を前記取引ごとに前記記憶部に記憶させ、前記取引に対する処理の途中で前記満杯が検出されたことに基づいて、当該取引の残りの貨幣を前記収納処理部に装着される新たな前記収納袋に収納するための処理を実行し、前記残りの貨幣を前記新たな収納袋に収納した場合は、当該取引において前記各収納袋に収納された貨幣の計数結果を、同じ取引に対する計数結果であることを示す情報とともに、前記記憶部に記憶させる。
【００２０】
上記の構成によれば、満杯になるまで１つの収納袋に貨幣を収納させることができる。よって、収納袋をより効率的に利用できる。また、１つの取引に対する貨幣が複数の収納袋に分割された場合も、記憶部に記憶された情報により、当該取引に用いられた収納袋を特定できる。よって、取引と収納袋との関係を正確に管理できる。
【００２１】
上記第１、第２または第３の態様に係る貨幣処理装置において、情報を出力する出力部を備え、前記制御部は、前記１つの収納袋に収納された貨幣の前記計数結果を前記出力部に出力させるような構成とされ得る。
【００２２】
上記の構成によれば、ユーザは、出力部により出力された計数結果により、当該収納袋に収納された貨幣を把握できる。
【００２３】
本発明の第４の態様は、貨幣処理装置に関する。本態様に係る貨幣処理装置は、投入された貨幣を着脱可能な収納袋に収納させる収納処理部と、投入された貨幣を計数する計数部と、制御部と、記憶部と、情報を出力する出力部と、を備える。前記制御部は、１つの前記収納袋に対する貨幣の収納を複数の取引について受け付け、前記１つの収納袋に収納された貨幣の計数結果を前記取引ごとに前記記憶部に記憶させ、前記１つの収納袋に収納された貨幣の前記計数結果を前記出力部に出力させる。前記収納処理部は、印刷領域を有する封止部材で前記収納袋の開口を封止し、前記出力部は、前記収納袋を封止する前記封止部材の前記印刷領域に当該収納袋に収納されている前記貨幣の計数結果および当該収納袋の識別情報の少なくとも一方を印刷する。
【００２４】
このような構成とされれば、ユーザは、収納袋が装置から取り外されて他の場所に保管されても、収納袋に一体化されている封止部材の印刷領域により、当該収納袋に収納されている貨幣の計数結果を把握できる。
【００２５】
また、上記の構成によれば、前記出力部は、前記記憶部において前記収納袋に対応付けられている前記取引を示す情報をさらに前記印刷領域に印刷するような構成とされ得る。
【００２６】
このような構成とされれば、ユーザは、印刷領域を参照することにより、さらに、当該収納袋に対して処理が行われた取引を把握できる。これにより、ユーザは、たとえば、保管場所に保管されている収納袋から、所定の取引に対応する収納袋を探すことができる。
【００２７】
本発明の第５の態様は、貨幣処理装置に関する。本態様に係る貨幣処理装置は、投入された貨幣を着脱可能な収納袋に収納させる収納処理部と、投入された貨幣を計数する計数部と、制御部と、記憶部と、を備える。前記制御部は、１つの前記収納袋に対する貨幣の収納を複数の取引について受け付け、前記１つの収納袋に収納された貨幣の計数結果を前記取引ごとに前記記憶部に記憶させる。さらに、前記制御部は、消去対象の前記収納袋を特定する消去特定情報の入力を受け付け、前記消去特定情報により特定される前記収納袋に対応付けられた全ての前記取引の前記計数結果を前記記憶部から消去する。
【００２８】
上記の構成によれば、ユーザは、消去特定情報を入力することにより、所望の収納袋に対応付けられている全取引の計数結果を、記憶部から一度に消去できる。たとえば、ユーザは、保管場所に保管されている収納袋を開封して収納袋内の貨幣を使用する場合、当該収納袋を特定する消去特定情報を入力することにより、収納袋に対応付けられている全取引の計数結果を、記憶部から一度に消去できる。
【００２９】
上記の構成とされた場合、前記消去特定情報は、前記収納袋の識別情報および前記取引の識別情報の少なくとも一方を含むような構成とされ得る。
【００３０】
このような構成とされれば、消去特定情報として収納袋の識別情報が入力された場合、収納袋の識別情報に対応付けられている全ての取引の計数結果が記憶部から一度に消去される。また、消去特定情報として取引の識別情報が入力された場合、取引の識別情報に対応付けられている収納袋が特定され、特定された収納袋に対応付けられている全ての取引の計数結果が記憶部から一度に消去される。よって、ユーザは、簡便な入力操作により、所望の収納袋に対応付けられている計数結果を円滑に消去できる。
【００３１】
本発明の第６の態様は、貨幣処理装置に関する。本態様に係る貨幣処理装置は、投入された貨幣を着脱可能な収納袋に収納させる収納処理部と、投入された貨幣を計数する計数部と、制御部と、記憶部と、を備える。前記制御部は、１つの前記収納袋に対する貨幣の収納を複数の取引について受け付け、前記１つの収納袋に収納された貨幣の計数結果を前記取引ごとに前記記憶部に記憶させる。さらに、前記制御部は、集計対象の前記収納袋を特定する集計特定情報の入力を受け付け、前記集計特定情報により特定される前記収納袋の前記計数結果を前記記憶部から読み出して集計し、集計結果を出力させる。
【００３２】
上記の構成によれば、ユーザは、集計対象の収納袋に収納されている貨幣の集計結果を把握できる。集計結果が印刷される場合、たとえば、印刷物を収納袋の回収業者に提示できる。
【発明の効果】
【００３３】
上記のように、本発明によれば、より少数の収納袋で適切かつ効率的に、収納袋を用いた貨幣の処理を行うことが可能な貨幣処理装置を提供することができる。
【００３４】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３５】
【図１】図１（ａ）は、実施形態１に係る、扉が開かれた状態の硬貨処理装置の外観を示す斜視図であり、図１（ｂ）は、実施形態に係る、シュートの近傍が示された硬貨処理装置の要部の正面図である。
【図２】図２（ａ）は、実施形態１に係る、硬貨が収納され、封緘具により封緘された状態の収納袋を示す図であり、図２（ｂ）は、実施形態１に係る、封緘具の平面図である。
【図３】図３は、実施形態１に係る、硬貨処理装置の内部の構成を示す平面図である。
【図４】図４（ａ）および（ｂ）は、実施形態１に係る、封緘ユニットとタグ印字ユニットの構成を示す図である。
【図５】図５（ａ）は、実施形態１に係る、収納袋に巻かれた封緘具が封緘ユニットとタグ印字ユニットにセットされた状態を示す図であり、図５（ｂ）は、実施形態１に係る、封緘ユニットの動作によって封緘具により収納袋が縛られた状態を示す図である。
【図６】図６は、実施形態１に係る、硬貨処理装置の構成を示すブロック図である。
【図７】図７は、実施形態１に係る、収納処理に係る制御動作を示すフローチャートである。
【図８】図８（ａ）、（ｂ）は、それぞれ、実施形態１に係る、収納処理の際に操作表示部において表示される画面を示す図である。
【図９】図９は、実施形態１に係る、計数処理に係る制御動作を示すフローチャートである。
【図１０】図１０（ａ）〜（ｃ）は、それぞれ、実施形態１に係る、計数処理の際に操作表示部に表示される画面を示す図である。
【図１１】図１１は、実施形態１に係る、在高履歴ファイルの構成を示す図である。
【図１２】図１２（ａ）は、実施形態１に係る、ジャム処理に係る制御動作を示すフローチャートである。図１２（ｂ）は、実施形態１に係る、やり直し処理に係る制御動作を示すフローチャートである。
【図１３】図１３（ａ）〜（ｃ）は、それぞれ、実施形態１に係る、ジャム処理の際に操作表示部において表示される画面を示す図である。
【図１４】図１４（ａ）は、実施形態１に係る、回収処理に係る制御動作を示すフローチャートである。図１４（ｂ）は、実施形態１に係る、在高履歴ファイルの構成を示す図である。
【図１５】図１５（ａ）は、実施形態１に係る、印字タグへの在高情報の印字の一例を示す図である。図１５（ｂ）は、実施形態に係る、レシート用紙への在高情報の印字の一例を示す図である。
【図１６】図１６は、実施形態１に係る、フル検知処理に係る制御動作を示すフローチャートである。
【図１７】図１７（ａ）、（ｂ）は、それぞれ、実施形態１に係る、フル検知処理の際に操作表示部において表示される画面を示す図である。
【図１８】図１８は、実施形態１に係る、在高履歴ファイルの構成を示す図である。
【図１９】図１９は、実施形態１に係る、取消処理に係る制御動作を示すフローチャートである。
【図２０】図２０は、実施形態１に係る、集計処理に係る制御動作を示すフローチャートである。
【図２１】図２１（ａ）、（ｂ）は、それぞれ、実施形態１に係る、集計処理の際に操作表示部において表示される画面を示す図である。
【図２２】図２２は、実施形態１に係る、消去処理に係る制御動作を示すフローチャートである。
【図２３】図２３（ａ）、（ｂ）は、それぞれ、実施形態１に係る、消去処理の際に操作表示部において表示される画面を示す図である。
【図２４】図２４は、実施形態２に係る、硬貨処理装置の外観を示す斜視図である。
【図２５】図２５は、実施形態２に係る、硬貨処理装置の内部の構成を示す平面図である。
【図２６】図２６は、実施形態２に係る、装着部を構成する上保持部の斜視図である。
【図２７】図２７は、実施形態２に係る、収納袋の構成を示す斜視図である。
【図２８】図２８は、実施形態２に係る、硬貨処理装置の構成を示すブロック図である。
【図２９】図２９は、実施形態２の変更例に係る、収納袋の構成を示す斜視図である。
【発明を実施するための形態】
【００３６】
＜実施形態１＞
以下、本発明の貨幣処理装置の一実施形態である硬貨処理装置１について、図面を参照して説明する。
【００３７】
本実施形態において、シュート１６および封緘ユニット２０が、特許請求の範囲に記載の「収納処理部」に対応する。また、識別部５０が、特許請求の範囲に記載の「計数部」に対応する。印字領域１３１は、特許請求の範囲に記載の「印刷領域」に対応する。レシート印字ユニット１４およびタグ印字ユニット２１は、特許請求の範囲に記載の「出力部」に対応する。リジェクト箱２６は、特許請求の範囲に記載の「他の収納部」に対応する。また、封緘具１９は、特許請求の範囲に記載の「封止部材」に対応する。
【００３８】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３９】
図１（ａ）は、扉２３が開かれた状態の硬貨処理装置１の外観を示す斜視図であり、図１（ｂ）は、シュート１６の近傍が示された硬貨処理装置１の要部の正面図である。なお、図１（ａ）には、便宜上、収納袋１８が透明な状態に描かれている。
【００４０】
硬貨処理装置１は、いわゆる硬貨計数機であり、たとえば、郵便局などの店舗に設置される。硬貨処理装置１は、投入された硬貨を計数し収納袋１８に収納する計数処理を行う。硬貨が詰められた収納袋１８は、硬貨処理装置１から取り出され、店舗内に一時的に保管された後、現金センター等の外部施設に運ばれる。
【００４１】
なお、本実施形態では、硬貨処理装置１は、金種別に硬貨が収納される複数の収納箱を備えない構成とされているが、複数の収納箱を備え、識別および計数後の硬貨を金種別に収容箱に収納する機能を有するように構成されてもよい。
【００４２】
図１（ａ）に示すように、硬貨処理装置１は、ほぼ直方体状の筐体１０を備える。筐体１０の天面には、中央部に硬貨の投入口であるホッパー１１が設けられる。ホッパー１１は蓋１２で覆われており、ホッパー１１に硬貨が投入される際に蓋１２が開放される。
【００４３】
また、筐体１０の天面には、ホッパー１１の左方に操作表示部１３とレシート印字ユニット１４が設けられる。操作表示部１３は、たとえばタッチパネルであり、硬貨の計数結果（枚数、金額）等の情報を含む画面など、各種の画面を表示するとともに、表示された画面（画面に含まれる各種ボタン等）に対する操作を受け付ける。レシート印字ユニット１４は、レシート用紙に所定の情報の印字を行い、排出する。
【００４４】
筐体１０内には、前面が開放された収容室１５が設けられる。収容室１５内には、右側の天面から垂下するように、硬貨が放出される円筒状のシュート１６が設けられる。シュート１６には、Ｃ字状かつ環状の固定リング１７が設けられる。
【００４５】
シュート１６から放出された硬貨を収納するために、収納袋１８が、収容室１５内に収容されて、シュート１６に取り外し可能に装着される。収納袋１８は、その収納口１８ａがシュート１６と固定リング１７との間に挟まれることによりシュート１６に固定される。収納袋１８は、麻などの布により形成される。収納袋１８は、ナイロンなどの樹脂、紙など、他の材料により形成されてもよい。
【００４６】
図２（ａ）は、硬貨が収納され、封緘具１９により封緘された状態の収納袋１８を示す図であり、図２（ｂ）は、封緘具１９の平面図である。
【００４７】
図２（ａ）に示すように、硬貨が収納された収納袋１８は、収納口１８ａ側が帯状の封緘具１９により縛られる。これにより、収納袋１８が封緘具１９により封緘される。
【００４８】
図２（ｂ）に示すように、封緘具１９は、いわゆる結束バンドであり、帯状のバンド部１１０と、バンド部１１０の基端部に設けられるヘッド部１２０と、ヘッド部１２０からバンド部１１０と反対方向に延びる印字タグ１３０とにより構成される。バンド部１１０には、先端側と基端側の所定長さの領域を除くロック領域１１１に、返しを有するセレーション１１２が形成される。ヘッド部１２０には、爪部１２１を有する開口１２２が形成される。印字タグ１３０は、ほぼ長方形状に形成され、一方の面に印字領域１３１を有する。なお、印字領域１３１は、印字タグ１３０に印字がなされたが、字と共に模様等が印字タグ１３０に印刷されてもよい。
【００４９】
収納袋１８が封緘具１９により縛られる際には、バンド部１１０が、収納袋１８の収納口１８ａ側に巻かれてヘッド部１２０の開口１２２に挿入され、輪の状態になる。そのまま、バンド部１１０が挿入方向に引かれると、バンド部１１０の輪が縮まって収納袋１８が締め付けられる。バンド部１１０は、そのロック領域１１１まで開口１２２に挿入されると、開口１２２の爪部１２１とセレーション１１２の返しが係合するため、挿入方向に移動できるがその反対方向、即ち開口１２２から抜ける方向に移動できなくなる。よって、収納袋１８がバンド部１１０により締め付けられて縛られた状態になると、その縛られた状態が維持される。
【００５０】
図１（ａ）に戻り、シュート１６に装着された収納袋１８を、硬貨が収納された後に封緘具１９により自動的に封緘するため、収容室１５内には、シュート１６の左後方であってシュート１６よりやや低い位置に封緘ユニット２０が配置される。また、封緘具１９により収納袋１８の封緘を行った際に、収納袋１８に収納された硬貨の在高情報や、硬貨の収納日等の他の情報を、封緘具１９の印字タグ１３０に印字するため、収容室１５内には、封緘ユニット２０の左側近傍にタグ印字ユニット２１が配置される。封緘ユニット２０は、収容室１５内に張り出す直方体状のボックス部２２の右側面に固定される。タグ印字ユニット２１は、その大部分がボックス部２２内に収容され、印字タグ１３０が置かれるタグ置き部３１４がボックス部２２内から露出する。これら封緘ユニット２０とタグ印字ユニット２１の構成については、追って詳細に説明する。
【００５１】
収容室１５は、前方に倒すようにして開くことができる扉２３により覆われる。筐体１０内には、収容室１５の周囲に、ロック装置２４と開閉検知センサ２５が設けられる。
【００５２】
扉２３は、ロック装置２４により閉じられた状態にロックすることができる。ロック装置２４は、たとえば、ソレノイドのオン・オフによりケースから出入りするプランジャを含み、プランジャを扉２３に設けられた係合穴に嵌り込ませることにより、扉２３をロックする。また、開閉検知センサ２５により、扉２３の開閉が検知される。開閉検知センサ２５は、たとえば、マイクロスイッチ等で構成される。この場合、扉２３が閉じると、マイクロスイッチのスイッチ部が閉じられる。
【００５３】
筐体１０の前部には、収容室１５の隣に、正常な硬貨でないリジェクト硬貨が収納されるリジェクト箱２６が設けられる。リジェクト箱２６を筐体１０の前方から取り外すことにより、リジェクト硬貨をリジェクト箱２６から取り出すことができる。後述のように、リジェクト箱２６は、収納袋１８への収納対象から外された硬貨の収納にも用いられる。
【００５４】
図１（ｂ）に示すように、収容室１５内において、シュート１６の近傍には、シュート１６に収納袋１８が装着されたか否かを検知する装着検知器２７が設けられる。装着検知器２７は、Ｌ字形の検知レバー２７ａと、フォトセンサ２７ｂとを含む。検知レバー２７ａは、支持体２７ｃにより回動可能に支持される。図１（ｂ）の破線に示すように、収納袋１８がシュート１６に装着されたとき、収納袋１８により押されて検知レバー２７ａが上方へ回動する。フォトセンサ２７ｂの発光素子と受光素子との間に検知レバー２７ａが挿入され、発光素子からの光が検知レバー２７ａで遮断されて受光素子に届かなくなる。これにより、収納袋１８がシュート１６に装着されたことが検知される。なお、装着検知器２７は、上記と異なる構成であってもよい。
【００５５】
また、収容室１５内において、装着検知器２７の下方には、収納袋１８内が硬貨でフル状態（満杯状態）となったこと検知するフル検知センサ２８が設けられる。フル検知センサ２８は、たとえば、磁気センサであり、シュート１６に装着された収納袋１８の上部であって封緘具１９により封緘される部分よりも下に位置する。収納袋１８内にフル状態の位置まで硬貨が貯められると、フル検知センサ２８により硬貨が検知される。なお、フル検知センサ２８は、他の方式により、収納袋１８のフル状態を検知してもよい。たとえば、フル検知センサ２８は、収納袋１８内に硬貨が貯められたときの重量を検知することにより、フル状態を検知するものであってもよい。
【００５６】
図３は、硬貨処理装置１の内部の構成を示す平面図である。
【００５７】
筐体１０内には、収容室１５よりも上側に、投入部３０、搬送部４０および識別部５０が配置される。
【００５８】
投入部３０は、ホッパー１１の下方に配置され、収納袋１８への硬貨収納時に駆動される回転円盤３１と、回転円盤３１を囲む円環状の周壁３２とを含む。周壁３２には、筐体１０の右側面と対向する一部分が切り欠かれることにより、硬貨の出口３３が形成される。投入部３０には、出口３３の近傍であって回転円盤３１の上方に、規制部材３４が配置される。回転円盤３１と規制部材３４との間には、硬貨の厚みより僅かに大きな隙間が形成される。
【００５９】
投入部３０には、ホッパー１１を通じて硬貨が投入される。投入された硬貨は、回転円盤３１上に載せられる。回転円盤３１が上方から見て右方向に回転すると、回転円盤３１上の硬貨が、遠心力によって周壁３２側へと移動して出口３３から排出される。このとき、回転円盤３１と規制部材３４との隙間を硬貨が通ることで、硬貨が複数枚の重なった状態で排出されることが防止される。よって、投入部３０の出口３３からは、硬貨が一枚ずつ排出される。
【００６０】
搬送部４０は、投入部３０から排出された硬貨をシュート１６に装着された収納袋１８へ搬送する。搬送部４０は、搬送通路部６０と、搬送ベルト機構７０と、振分機構８０とを備える。
【００６１】
搬送通路部６０は、硬貨が移動する搬送通路６１を有する。搬送通路６１は、筐体１０の右側面に沿う通路底板６２の上面に、通路底板６２の外縁側に沿う外側通路部材６３と通路底板６２の内縁側に沿う内側通路部材６４とが配置されることにより、外側通路部材６３と内側通路部材６４の間に形成される。搬送通路６１は、投入部３０の出口３３に繋がり、出口３３から筐体１０の前面近傍へと延びる。搬送通路６１は、サイズの最も大きな５００円硬貨より僅かに大きな幅を有する。搬送通路６１の終端の位置には、通路底板６２に、シュート１６へ繋がる投出口６５が形成される。
【００６２】
搬送ベルト機構７０は、搬送通路６１の上方に設けられる。搬送ベルト機構７０は、投入部３０の出口３３の近傍に配置された第１プーリ７１と、投出口６５の上方に配置された第２プーリ７２と、第１プーリ７１と第２プーリ７２との間に架け渡された搬送ベルト７３を含み、第１プーリ７１および第２プーリ７２を駆動して搬送ベルト７３を周回させる。搬送ベルト７３が周回すると、投入部３０から排出された硬貨が、搬送ベルト７３と搬送通路６１の底面に挟まれるようにして搬送通路６１を投出口６５へと向かって移動する。この際、硬貨は、外側通路部材６３の壁面６３ａに接触し、壁面６３ａに沿うようにして移動する。
【００６３】
搬送通路６１には、長円状のリジェクト孔６６が形成される。外側通路部材６３の壁面６３ａからリジェクト孔６６における壁面６３ａから遠い縁までの寸法は、サイズが最も小さな１円硬貨の径よりも小さくされる。このため、搬送通路６１を壁面６３ａに沿って移動する硬貨は、通常、リジェクト孔６６を跨ぐようにして通過する。
【００６４】
硬貨をリジェクト孔６６に導くため、リジェクト孔６６に対応して振分機構８０が設けられる。振分機構８０は、レバー８１と、レバー８１の一端に回転自在に取り付けられたローラ８２とを含む。レバー８１は、その他端に支点８１ａを有し、支点８１ａを中心に回動できるよう外側通路部材６３に取り付けられる。外側通路部材６３には、リジェクト孔６６の近傍に凹部６３ｂが形成され、この凹部６３ｂにローラ８２が収容される。
【００６５】
搬送通路６１にはリジェクト孔６６の直前に硬貨の通過を検知する通過検知センサ６７が配置される。正常な硬貨でない硬貨等、リジェクト対象の硬貨（リジェクト硬貨）の通過を通過検知センサ６７が検知すると、振分機構８０は、レバー８１を上方から見て左方向に回動させ、ローラ８２を搬送通路６１内へ進出させる。外側通路部材６３の壁面６３ａに沿って移動してきたリジェクト硬貨は、ローラ８２によってリジェクト孔６６側に押され、リジェクト孔６６を跨ぐことができず、傾くようにしてリジェクト孔６６に落下する。リジェクト孔６６に落下したリジェクト硬貨は、シュート（図示せず）を通ってリジェクト箱２６に収納される。
【００６６】
識別部５０は、搬送通路６１における、リジェクト孔６６よりも硬貨の流れの上流側に配置される。識別部５０は、磁気センサ５１と一対のイメージセンサ５２を含み、搬送通路６１を搬送される硬貨の正損、真偽、金種等を識別する。また、識別部５０は硬貨の計数を行う。
【００６７】
ホッパー１１を通じて投入部３０に投入された硬貨は、投入部３０から一枚ずつ搬送通路６１に排出される。排出された硬貨は、搬送通路６１を搬送されて識別部５０で識別および計数される。識別部５０により正常と識別された硬貨は投出口６５へと搬送される。投出口６５に至った硬貨は、投出口６５から落下し、シュート１６を通って収納袋１８に収納される。一方、識別部５０により正常でないと識別された硬貨、即ちリジェクト硬貨は、振分機構８０によりリジェクト孔６６へと送られ、リジェクト箱２６に収納される。なお、識別部５０では、リジェクト硬貨の計数は行われない。
【００６８】
図４（ａ）および（ｂ）は、封緘ユニット２０とタグ印字ユニット２１の構成を示す図である。図４（ａ）は、封緘ユニット２０とタグ印字ユニット２１を上方から見た図であり、ボックス部２２と封緘ユニット２０の筐体２１０が断面で示されている。図４（ｂ）は、封緘ユニット２０の前側を右側方から見た図である。
【００６９】
封緘ユニット２０は、筐体２１０と、第１ローラ部２２０と、第２ローラ部２３０と、第３ローラ部２４０と、駆動部２５０と、ガイド部２６０と、第１検知センサ２７０と、第２検知センサ２８０と、を含む。
【００７０】
筐体２１０は、長方形状の底面板２１１および天面板２１２と、これらに繋がる側面板２１３とで構成される。底面板２１１および天面板２１２との間に、３つのローラ部２２０、２３０、２４０と、ガイド部２６０と、２つの検知センサ２７０、２８０の配置スペースが形成される。側面板２１３は、ボックス部２２の側面に固定される。
【００７１】
筐体２１０内の前側に、前後に並ぶようにして、前方から順に、第１ローラ部２２０、第２ローラ部２３０および第３ローラ部２４０が配置される。
【００７２】
第１ローラ部２２０、第２ローラ部２３０および第３ローラ部２４０は、それぞれ、主動ローラ２２１、２３１、２４１と従動ローラ２２２、２３２、２４２とを含む。各主動ローラ２２１、２３１、２４１と各従動ローラ２２２、２３２、２４２との間には、封緘具１９のバンド部１１０が挟み込まれる隙間が形成される。
【００７３】
第１ローラ部２２０の主動ローラ２２１には、外周面に、バンド部１１０のセレーション１１２に噛み合う歯２２１ａが形成される。第１ローラ部２２０の従動ローラ２２２と、第２ローラ部２３０および第３ローラ部２４０の主動ローラ２３１、２４１および従動ローラ２３２、２４２は、同じ構成であり、少なくとも外周部がゴムなどの弾性材料により形成される。
【００７４】
各主動ローラ２２１、２３１、２４１が固定されたローラ軸２２３、２３３、２４３と各従動ローラ２２２、２３２、２４２が固定されたローラ軸２２４、２３４、２４４の下端部および上端部は、それぞれ、筐体２１０の底面板２１１および天面板２１２に回転可能に支持される。
【００７５】
駆動部２５０は、３つの主動ローラ２２１、２３１、２４１を回転駆動する。駆動部２５０は、３つのローラギア２５１、２５２、２５３と、これらローラギア２５１、２５２、２５３と噛み合う２つの連結ギア２５４、２５５と、ローラギア２５３に噛み合う駆動ギア２５６と、駆動ギア２５６に取り付けられたモータ２５７とを含む。
【００７６】
各ローラギア２５１、２５２、２５３は、底面板２１１から下方に突出する各ローラ軸２２３、２３３、２４３に取り付けられる。各連結ギア２５４、２５５が固定された軸２５８、２５９は、底面板２１１に回転可能に支持される。モータ２５７は、図示しない取付部を介して底面板２１１に固定される。
【００７７】
モータ２５７が回転すると、その回転が５つのギア２５１〜２５５により３つのローラ軸２２３、２３３、２４３に伝達される。これにより、３つの主動ローラ２２１、２３１、２４１が、各主動ローラ２２１、２３１、２４１と各従動ローラ２２２、２３２、２４２との間に挟まれたバンド部１１０を後方へ引き込む方向に回転する。
【００７８】
ガイド部２６０は、筐体２１０内において、第３ローラ部２４０の後方に配置される。ガイド部２６０は、前後方向に延びる左右のガイド板２６１、２６２を含む。左右のガイド板２６１、２６２の間に、バンド部１１０が通されるガイド溝２６３が形成される。
【００７９】
第１検知センサ２７０は、筐体２１０内において、第２ローラ部２３０と第３ローラ部２４０の間に配置される。また、第２検知センサ２８０は、筐体２１０内において、ガイド部２６０の後方に配置される。第１検知センサ２７０および第２検知センサ２８０は、たとえば、フォトセンサであり、それぞれの配置位置までバンド部１１０が到達したことを検知する。
【００８０】
タグ印字ユニット２１は、ほぼ長方形状を有するベース板３１０と、ベース板３１０に左右方向に移動可能に取り付けられる印字部３２０と、印字部３２０を左右方向に移動させる駆動部３３０とを含む。
【００８１】
ベース板３１０には、中央部に、左右に延びるシャフト３１１が取り付けられる。シャフト３１１には、シャフト３１１上をスライド可能なボールブッシュ３１２が設けられる。シャフト３１１は、両端部がベース板３１０の左右両側に設けられた固定部３１３に固定される。
【００８２】
ベース板３１０には、前部に、タグ置き部３１４が設けられる。タグ置き部３１４は、ベース板３１０の前端部から立ち上がる支持板３１５と、支持板３１５の後方に配置された、左右２つのローラ３１６とにより構成される。支持板３１５と２つのローラ３１６との間には、封緘具１９の印字タグ１３０の厚みに相当する隙間が形成される。タグ置き部３１４には、印字タグ１３０を検知するための検知センサ３１７が配置される。検知センサ３１７は、たとえば、フォトセンサである。
【００８３】
印字部３２０は、印字ヘッド３２１を有するキャリッジ３２２と、キャリッジ３２２に搭載されるインクカートリッジ３２３とを含む。キャリッジ３２２は、ボールブッシュ３１２に固定される。印字ヘッド３２１は、タグ置き部３１４の支持板３１５と対向する。
【００８４】
駆動部３３０は、第１プーリ３３１と、第２プーリ３３２と、ベルト３３３と、モータ３３４とを含む。第１プーリ３３１は、ベース板３１０の左側に配置され、モータ３３４に接続される。第２プーリ３３２はベース板３１０の右側に配置され、その軸３３２ａがベース板３１０に回転可能に支持される。ベルト３３３は、左右の固定部３１３に設けられた開口３１３ａを通されて、第１プーリ３３１と第２プーリ３３２との間にかけ渡される。ベルト３３３は、取付板３３５を介して印字部３２０のキャリッジ３２２に取り付けられる。モータ３３４は、ベース板３１０に下方から固定され、第１プーリ３３１を回転駆動する。モータ３３４の回転によりベルト３３３が左右方向に周回すると、キャリッジ３２２、即ち印字ヘッド３２１が左右方向に移動する。
【００８５】
図５（ａ）は、収納袋１８に巻かれた封緘具１９が封緘ユニット２０とタグ印字ユニット２１にセットされた状態を示す図であり、図５（ｂ）は、封緘ユニット２０の動作によって封緘具１９により収納袋１８が縛られた状態を示す図である。
【００８６】
図５（ａ）に示すように、収納袋１８に巻かれた封緘具１９は、封緘ユニット２０とタグ印字ユニット２１にセットされる。この際、封緘ユニット２０において、封緘具１９は、ヘッド部１２０を通されたバンド部１１０の先端部が、第３ローラ部２４０の手前の位置まで第１ローラ部２２０および第２ローラ部２３０のローラ間に挿入される。第１検知センサ２７０により、バンド部１１０の先端部、即ち封緘具１９が検知される。また、タグ印字ユニット２１において、封緘具１９の印字タグ１３０が、印字領域１３１を印字ヘッド３２１側に向けた状態でタグ置き部３１４に置かれる。印字タグ１３０は、支持板３１５と２つのローラ３１６とで挟まれ、印字領域１３１の反対側の面が支持板３１５の面（支持面）で支えられる。検知センサ３１７により、印字タグ１３０が検知される。
【００８７】
上記のように封緘具１９が封緘ユニット２０にセットされた状態では、バンド部１１０のロック領域１１１がヘッド部１２０の開口１２２に達していない。よって、この状態では、バンド部１１０をヘッド部１２０から抜くことができる。
【００８８】
封緘ユニット２０では、モータ２５７の動作により第１ローラ部２２０、第２ローラ部２３０および第３ローラ部２４０の各主動ローラ２２１、２３１、２４１が回転する。これにより、封緘具１９のバンド部１１０が後方へ引き込まれる。このとき、第１ローラ部２２０の主動ローラ２２１の歯２２１ａがバンド部１１０のセレーション１１２に噛み合うことにより、バンド部１１０が引き込まれやすくなる。バンド部１１０の先端部は、ガイド部２６０のガイド溝２６３に案内されて後方へ移動する。バンド部１１０による封緘具１９の輪が絞られていき、収納袋１８の収納口１８ａが閉じられていく。
【００８９】
図５（ｂ）に示すように、封緘具１９により収納袋１８が十分に縛られて収納口１８ａが閉じると、収納袋１８の封緘が完了する。この状態では、バンド部１１０の先端部がガイド部２６０よりも後方に移動し、第２検知センサ２８０により検知される。第２検知センサ２８０による検知に基づいて、モータ２５７が停止し、封緘ユニット２０による封緘動作が終了する。
【００９０】
タグ印字ユニット２１では、印字部３２０が、左右方向に移動しながら印字ヘッド３２１により印字タグ１３０の印字領域１３１へ印字を行う。この際、印字タグ１３０は、支持板３１５の面でしっかりと支えられているので、印字タグ１３０の印字領域１３１へ良好に印字できる。
【００９１】
図６は、硬貨処理装置１の構成を示すブロック図である。
【００９２】
硬貨処理装置１は、上記の構成に加えて、制御部４０１と、記憶部４０２とを備える。
【００９３】
制御部４０１は、ＣＰＵ（Central Processing Unit）等の演算回路を備える。制御部４０１は、記憶部４０２に記憶された動作プログラムに従って、操作表示部１３、投入部３０、搬送部４０、識別部５０、開閉検知センサ２５、装着検知器２７、フル検知センサ２８、レシート印字ユニット１４、封緘ユニット２０、タグ印字ユニット２１、ロック装置２４等を制御する。
【００９４】
また、制御部４０１は、投入部３０および搬送部４０における硬貨の搬送動作を監視して、投入部３０および搬送部４０における硬貨詰まり（ジャム）を検知する。この他、制御部４０１は、開閉検知センサ２５、装着検知器２７およびフル検知センサ２８からの検知結果により、扉２３の開閉、シュート１６に対する収納袋１８の着脱、および収納袋１８のフル状態を検知する。
【００９５】
記憶部４０２は、ＲＯＭ（Read Only Memory）、ＲＡＭ（Random Access Memory）やハードディスク等の記憶媒体を備え、制御部４０１の動作プログラムを記憶し、また、制御部４０１の制御処理の際にワーク領域として利用される。
【００９６】
次に、収納袋１８に硬貨を収納するための処理について説明する。
【００９７】
図７は、硬貨の収納処理を示すフローチャートである。図８（ａ）、（ｂ）は、硬貨の収納処理の際に操作表示部１３において表示される画面を示す図である。
【００９８】
収納処理において、ユーザは予め、封緘具１９を収納袋１８に収納口１８ａ側に巻いて輪の状態にし、封緘具１９が付けられた収納袋１８をシュート１６に装着する。そして、ユーザは、図５（ａ）に示すように、封緘具１９のバンド部１１０を封緘ユニット２０にセットするとともに、封緘具１９の印字タグ１３０をタグ印字ユニット２１にセットした後、扉２３を閉じる。このようにして、収納袋１８および印字タグ１３０がユーザにより適切にセットされる。
【００９９】
そして、ユーザは、図８（ａ）に示す初期画面５００を操作する。初期画面５００には、各種処理を開始するためのボタン５０１〜５０３が含まれている。収納処理を行う場合、ユーザは、ボタン５０１を操作する。これにより、図７に示す処理が開始される。
【０１００】
ステップＳ１１において、制御部４０１は、操作表示部１３に、図８（ｂ）の受付画面５１０を表示させる。受付画面５１０には、３つのボタン５１１〜５１３が含まれている。未だ、収納袋１８に対する硬貨の収納が行われていない場合、ボタン５１２は、操作不能に無効化されている。ユーザは、１つの取引について収納袋１８に硬貨を収納する場合、ボタン５１１を操作する。これにより、ステップＳ１２の判定がＹＥＳとなる。
【０１０１】
ステップＳ１２の判定がＹＥＳとなると、制御部４０１は、硬貨を計数しつつ収納袋１８に収納する計数処理を実行する（Ｓ１３）。計数処理については、追って図９〜図１１を参照して説明する。
【０１０２】
ステップＳ１３の計数処理が終了すると、制御部４０１は、処理をステップＳ１１に戻す。これにより、再度、図８（ｂ）の受付画面５１０が表示される。この場合、収納袋１８に硬貨が収納された状態にあるため、ボタン５１２は有効化されている。  ユーザは、さらに他の取引における硬貨を同一の収納袋１８に収納する場合、受付画面５１０において、再度、ボタン５１１を操作する。これにより、ステップＳ１２の判定がＹＥＳとなって、次の取引に係る硬貨が、計数されつつ、同一の収納袋１８に収納される。ユーザは、同一の収納袋１８に硬貨を収納させることを所望する全ての取引について、収納袋１８に対する硬貨の収納が終了するまで、同様の操作を行う。
【０１０３】
こうして、全ての取引に対する処理が終了すると、ユーザは、その後のステップＳ１１の処理により表示される受付画面５１０（図８（ｂ）参照）において、ボタン５１２を操作する。これにより、ステップＳ１２の判定がＮＯとなり、ステップＳ１４の判定がＹＥＳとなる。
【０１０４】
ステップＳ１４の判定がＹＥＳとなると、制御部４０１は、収納袋１８を封緘して装置から取り出すための回収処理を実行する（Ｓ１５）。回収処理については、追って図１４（ａ）〜図１５（ｂ）を参照して説明する。回収処理（Ｓ１５）が終了すると、制御部４０１は、収納袋１８に対する収納処理を終了する。
【０１０５】
なお、収納袋１８をセットした後、最初に表示される受付画面５１０において、ユーザは、収納袋１８に対する硬貨の収納を中止することができる。この場合、ユーザは、図８（ｂ）の受付画面５１０において、ボタン５１３を操作する。これにより、図７のステップＳ１２の判定がＮＯとなり、ステップＳ１４の判定がＮＯとなる。これにより、制御部４０１は、操作表示部１３に表示される画面を、図８（ｂ）の受付画面５１０から図８（ａ）の初期画面５００に切り替えて（Ｓ１６）、処理を終了する。
【０１０６】
次に、図７のステップＳ１３の計数処理について説明する。
【０１０７】
図９は、硬貨の計数処理を示すフローチャートである。図１０（ａ）〜（ｃ）は、それぞれ、計数処理の際に操作表示部１３において表示される画面を示す図である。
【０１０８】
ステップＳ２１において、制御部４０１は、当該取引に対して、取引番号を自動付番により設定する。次に、制御部４０１は、ホッパー１１に対する硬貨の投入を促すための画面を操作表示部１３に表示させる（Ｓ２２）。これにより、操作表示部１３に、図１０（ａ）の投入要求画面５２０が表示される。
【０１０９】
投入要求画面５２０には、ユーザに硬貨の投入を促すメッセージ５２０ａと、ボタン５２０ｂとが含まれる。ユーザは、メッセージ５２０ａを参照して、ホッパー１１に当該取引に係る硬貨を全て投入する。その後、ユーザは、ボタン５２０ｂを操作する。これにより、制御部４０１は、図１０（ｂ）の計数処理画面５２１を操作表示部１３に表示させるとともに、識別部５０に硬貨の計数処理を実行させる（Ｓ２３）。図１０（ｂ）に示すように、計数処理画面５２１には、硬貨が計数処理中であることを示すメッセージ５２１ａが含まれる。ユーザは、メッセージ５２１ａにより、硬貨が計数処理中であることを把握する。
【０１１０】
制御部４０１は、計数処理中に、搬送部４０で硬貨詰まり（ジャム）が発生したか否かを判定する（Ｓ２４）。たとえば、制御部４０１は、通過検知センサ６７や搬送通路６１のその他の位置に配置された通過検知センサ（図示せず）の位置を硬貨が通過しないことや、その位置に硬貨が留まっていることに基づいて硬貨詰まりが発生したと判定する。
【０１１１】
制御部４０１は、ジャムが発生したと判定した場合（Ｓ２４：ＹＥＳ）、ジャムを解消するためのジャム処理を行う（Ｓ２５）。ジャム処理については、追って、図１２（ａ）および図１３を参照して説明する。一方、ジャムが発生することなく（Ｓ２４：ＮＯ）、投入された全ての硬貨の計数が終了すると（Ｓ２６：ＹＥＳ）、制御部４０１は、操作表示部１３に図１０（ｃ）の選択画面５２２を表示させる（Ｓ２７）。また、制御部４０１は、上記したジャム処理（Ｓ２５）が完了した場合も、操作表示部１３に選択画面５２２を表示させる（Ｓ２７）。
【０１１２】
選択画面５２２には、計数処理が終了したことを示すメッセージ５２２ａと、今回の取引による計数結果画像５２２ｂと、ボタン５２２ｃ、５２２ｄとが含まれる。計数結果画像５２２ｂには、金種ごとの硬貨の枚数および金額、並びに、硬貨の合計の枚数および金額が、計数結果として表示される。ユーザは、選択画面５２２に含まれるメッセージ５２２ａを確認するとともに、計数結果画像５２２ｂの表示内容（計数結果）を確認する。
【０１１３】
ユーザは、計数結果に問題がないと判断した場合、ボタン５２２ｄを操作して、当該取引を確定させる。これにより、ステップＳ２８の判定がＹＥＳとなる。この場合、制御部４０１は、記憶部４０２に、この計数結果を在高履歴ファイル４０２ａに登録させる（Ｓ２９）。
【０１１４】
図１１は、在高履歴ファイル４０２ａのデータ構造を示す図である。
【０１１５】
在高履歴ファイル４０２ａには、当該取引において処理された硬貨の計数結果が、図９のステップＳ２１で設定された当該取引の取引番号に対応付けられて記憶される。記憶される計数結果は、図１０（ｃ）の選択画面５２２に表示される計数結果と略同じであり、金種別の硬貨の枚数と、当該取引における硬貨の合計枚数および合計金額（在高）である。また、当該取引が確定された日付が、当該取引に対応付けて記憶される。
【０１１６】
さらに、当該取引に係る硬貨が収納される収納袋１８を特定するための袋番号が自動付番されて、取引番号に対応付けられる。したがって、複数の取引に係る硬貨が１つの収納袋１８に収納される場合は、１つの袋番号に複数の取引番号が対応づけられて記憶される。
【０１１７】
この他、各取引には、ステータスが対応付けられる。ステータスは、各取引により処理された硬貨を収納する収納袋１８に対して回収処理、すなわち、収納袋１８を封緘して装置から取り出す処理が行われたか否かを示す。回収処理が終了すると、ステータスが「未回収」から「回収済」に変更される。図９のステップＳ２９のタイミングでは、未だ回収処理が行われていないため、ステップＳ２９で登録される計数結果（在高情報）のステータスは、「未回収」となる。
【０１１８】
図１０（ｃ）に戻り、ユーザは、計数結果画像５２２ｂの表示内容、すなわち、当該取引の計数結果に問題があると判断した場合、ボタン５２２ｃを操作する。たとえば、ユーザが把握していた硬貨の合計金額と計数結果画像５２２ｂに表示された計数結果とが合致しない場合、ユーザは、ボタン５２２ｃを操作する。これにより、図９のステップＳ２８の判定がＮＯとなる。
【０１１９】
ステップＳ２８の判定がＮＯとなると、制御部４０１は、再度、当該取引に対する計数処理をやり直すためのやり直し処理を実行する（Ｓ３０）。やり直し処理については、追って図１２（ｂ）を参照して説明する。ステップＳ３０のやり直し処理が終了すると、制御部４０１は、処理をステップＳ２７に戻して、ステップＳ２７、２８の処理を再度実行する。これにより、ユーザは、再度、ステップＳ２７で表示される選択画面５２２の計数結果画像５２２ｂを参照して、当該取引に係る硬貨の計数結果に間違いがないかを確認する。計数結果に間違いがない場合、ユーザは、図１０（ｃ）のボタン５２２ｄを操作する。これにより、制御部４０１は、当該取引に係る計数結果を在高履歴ファイル４０２ａに登録し（Ｓ２９）、図９の処理を終了する。
【０１２０】
次に、図９のステップＳ２５のジャム処理について説明する。
【０１２１】
図１２（ａ）は、ジャム処理を示すフローチャートである。
【０１２２】
ステップＳ３１において、制御部４０１は、操作表示部１３に、図１３（ａ）のジャム解消画面５３０を表示させる。ジャム解消画面５３０には、ユーザにジャムの解消を促すためのメッセージ５３０ａと、ボタン５３０ｂとが含まれる。ジャム解消のための手順がジャム解消画面５３０にさらに表示されてもよい。
【０１２３】
ユーザは、メッセージ５３０ａを確認してジャムの解消を行う。たとえば、ユーザは、搬送通路６１を確認して、搬送通路６１に詰まっている硬貨を取り除く。ユーザは、ジャムを解消した後、ジャム解消画面５３０のボタン５３０ｂを操作する。これに応じて、制御部４０１は、ユーザが収納袋１８をシュート１６から取り出すための処理を実行する（Ｓ３２）。具体的には、制御部４０１は、封緘ユニット２０およびタグ印字ユニット２１を動作させることなく、ロック装置２４に解除動作を行わせて、扉２３のロックを解除する。さらに、制御部４０１は、図１３（ｂ）に示す取出誘導画面５３１を、操作表示部１３に表示させる。取出誘導画面５３１は、収納袋１８を取り出すことを促すメッセージ５３１ａと、ボタン５３１ｂとが含まれている。
【０１２４】
ユーザは、メッセージ５３１ａを参照することにより、扉２３を開いて収納袋１８をシュート１６から取り外し、その後、ボタン５３１ｂを操作する。これに応じて、制御部４０１は、図１２（ａ）のステップＳ３３における硬貨再投入処理を実行する。ステップＳ３３において、制御部４０１は、図１３（ｃ）に示す再投入誘導画面５４０を操作表示部１３に表示させる。
【０１２５】
再投入誘導画面５４０は、取り出した収納袋１８内の硬貨をホッパー１１に投入すること、および、その後、この収納袋１８をシュート１６に再びセットすることを促すメッセージ５４０ａと、ボタン５４０ｂとが含まれる。ユーザは、メッセージ５４０ａを参照して、取り外した収納袋１８に収納されている硬貨をホッパー１１に投入し、この収納袋１８を再びシュート１６に装着する。そして、ユーザは、扉２３を閉じて、ボタン５４０ｂを操作する。このとき、開閉検知センサ２５により、扉２３が正常に閉じられたことが検知される。
【０１２６】
ユーザがボタン５４０ｂを操作すると、制御部４０１は、操作表示部１３に図１０（ｂ）の計数処理画面５２１を表示させるとともに、識別部５０に、ホッパー１１に投入された硬貨の計数処理を実行させる（Ｓ３４）。制御部４０１は、硬貨の計数中に、ジャムが発生したか否かを判定する（Ｓ３５）。ジャムが発生した場合（Ｓ３５：ＹＥＳ）、制御部４０１は、処理をステップＳ３１に戻して、ステップＳ３１〜Ｓ３４の処理を再度実行する。
【０１２７】
一方、ジャムが発生することなく（Ｓ３５：ＮＯ）、全ての硬貨の計数が終了すると（Ｓ３６：ＹＥＳ）、制御部４０１は、今回の計数結果と、前回以前の計数結果とに基づいて、ジャムが発生したときの取引における硬貨の在高を算出する（Ｓ３７）。
【０１２８】
具体的には、制御部４０１は、図１１の在高履歴ファイル４０２ａにおいて、ステータスが未回収となっている取引の計数結果（枚数、金額）を抽出する。この計数結果は、ジャムが発生したときに行われていた取引よりも以前の取引によって、当該収納袋１８に収納された硬貨の計数結果である。制御部４０１は、在高履歴ファイル４０２ａから抽出した計数結果と、図１２（ａ）のステップＳ３４で計数した硬貨の計数結果との差分を金種ごとに算出し、算出結果を、今回の取引における各金種の計数結果として取得する。ステータスが「未回収」の計数結果が在高履歴ファイル４０２ａに存在しない場合、制御部４０１は、今回の計数結果を、ジャムが発生したときの取引における硬貨の在高として取得する。
【０１２９】
こうしてジャムが発生したときの取引における計数結果を取得すると、制御部４０１は、図１２（ａ）のジャム処理を終了する。これにより、制御部４０１は、図９のステップＳ２５の処理を終了し、処理をステップＳ２７に進める。この場合、制御部４０１は、図１２（ａ）のステップＳ３７で算出した計数結果を、図１０（ｃ）の計数結果画像５２２ｂとして表示させる。ユーザは、計数結果画像５２２ｂを参照することにより、当該取引に係る硬貨の計数が適正に行われたか否かを判別し、その判別結果に応じて、ボタン５２２ｃ、５２２ｄの何れかを操作する。
【０１３０】
ボタン５２２ｄが操作されると、制御部４０１は、図１２（ａ）のステップＳ３７で算出した計数結果を、図９のステップＳ２９において、図１１の在高履歴ファイル４０２ａに登録する。これにより、今回の取引に係る計数結果が、在高履歴ファイル４０２ａに登録される。このとき、当該取引に対するステータスは、「未回収」に設定される。
【０１３１】
続いて、図９のステップＳ３０のやり直し処理について説明する。
【０１３２】
図１２（ｂ）は、やり直し処理を示すフローチャートである。
【０１３３】
やり直し処理は、図１２（ａ）のジャム処理に比べて、ステップＳ３１（ジャム復旧処理）がステップＳ４４の後段に移動されている点のみにおいて相違している。すなわち、図１２（ｂ）のステップＳ４１〜Ｓ４７は、図１２（ａ）のステップＳ３２〜Ｓ３７と同様であり、図１２（ｂ）のステップＳ４５は、図１２（ａ）のステップＳ３１と同様である。つまり、図１２（ｂ）のやり直し処理では、まず、収納袋１８の取出し（Ｓ４１）、収納袋１８の再装着および硬貨の再投入（Ｓ４２）、並びに硬貨の計数（Ｓ４３、Ｓ４６）が行われ、この計数の際にジャムが生じると（Ｓ４４：ＹＥＳ）、ジャムの復旧処理が行われる（Ｓ４５）。図１２（ｂ）の各ステップにおける処理は、図１２（ａ）の対応するステップの処理と同様であるので、ここでは説明を省略する。
【０１３４】
図１２（ｂ）のやり直し処理においても、ステップＳ４７において、ステップＳ４３の計数結果と、在高履歴ファイル４０２ａにおいてステータスが「未回収」に設定されている前回以前の取引に係る計数結果との差分により、今回の取引に係る各金種の計数結果が算出される。この場合、制御部４０１は、図９のステップＳ３０から移行するステップＳ２７において、図１２（ｂ）のステップＳ４７で算出した各金種の計数結果を、図１０（ｃ）の計数結果画像５２２ｂとして表示させる。そして、ユーザにより図１０（ｃ）のボタン５２２ｄが操作されると、制御部４０１は、図９のステップＳ２９において、図１２（ｂ）のステップＳ４７で算出した計数結果を、図１１の在高履歴ファイル４０２ａに登録する。これにより、今回の取引に係る計数結果が、在高履歴ファイル４０２ａに登録される。
【０１３５】
次に、図７のステップＳ１５の回収処理について説明する。
【０１３６】
図１４（ａ）は、回収処理を示すフローチャートである。
【０１３７】
まず、制御部４０１は、封緘ユニット２０を動作させ、封緘具１９による収納袋１８の封緘を行う（Ｓ５１）。次に、制御部４０１は、タグ印字ユニット２１とレシート印字ユニット１４とを動作させ、収納袋１８に収納された硬貨の在高情報（各取引における計数結果）を、印字タグ１３０とレシート用紙１３２に印字させる（Ｓ５２）。在高情報が印字されたレシート用紙１３２は、所定サイズに切断されてレシート印字ユニット１４から排出される。
【０１３８】
印字タグ１３０の印字領域１３１には、たとえば、図１５（ａ）に示すように、硬貨の合計金額と金種ごとの硬貨の枚数とが印字される。また、印字領域１３１には、今回の封緘処理で封緘される収納袋１８の袋番号と、当該収納袋１８に対して行われた取引の取引番号と、硬貨処理装置１が設置された店舗の名称と、収納袋１８が封緘された日付とが印字される。
【０１３９】
レシート用紙１３２には、たとえば、図１５（ｂ）に示すように、収納袋１８の袋番号と、硬貨処理装置１が設置された店舗の名称と、収納袋１８が封緘された日時と硬貨の合計金額とが印字される。また、レシート用紙１３２には、取引ごとの在高情報が印字される。ここでは、取引ごとに、取引番号と、その取引番号の取引が行われた日時と、金種ごとの硬貨の枚数とが印字される。印字タグ１３０は印字可能な面積が限られているため、印字される情報が制限される。ユーザは、レシート用紙１３２を参照することにより、収納袋１８に収納されている硬貨の在高の詳細な情報を把握することができる。
【０１４０】
図１４（ａ）に戻り、印字タグ１３０およびレシート用紙１３２への在高情報の印字が終了すると、制御部４０１は、在高履歴ファイル４０２ａにおいて当該収納袋１８に対応付けられている各取引のステータスを「未回収」から「回収済」に変更する（Ｓ５３）。図１４（ｂ）に示すように、回収対象の収納袋１８（ここでは、袋番号００７番）に対応付けられている各取引のステータスが、一度に、「回収済」に変更される。その後、制御部４０１は、収納袋１８の取出し処理を実行する（Ｓ５４）。この処理は、図１２（ａ）のステップＳ３２と同様である。こうして、ユーザは、封緘済みの収納袋１８を装置から取り出す。これにより、収納袋１８の回収処理が終了する。
【０１４１】
図９の計数処理（Ｓ２３）の途中や、図１２（ａ）の計数処理（Ｓ３４）の途中において、収納袋１８が満杯になる場合がある。本実施形態では、このような場合に、今回の取引に係る処理を取り消すか、今回の取引に係る処理を継続して残りの硬貨を新たな収納袋１８に収納するかの選択を、ユーザが行えるようになっている。以下、この処理について説明する。
【０１４２】
図１６は、収納袋１８が満杯になったことを検出した場合の処理（フル検知処理）を示すフローチャートである。
【０１４３】
図１６の処理は、図９のステップＳ２３の計数処理および図１２（ａ）のステップＳ３４の処理が開始されると、並行して行われる。そして、図１６のステップＳ６１の判定がＹＥＳとなると、図９および図１２（ａ）の処理は終了し、その後は、図１６の処理が代替的に行われる。
【０１４４】
計数処理中にフル検知センサ２８により収納袋１８がフル状態となったことが検知された場合（Ｓ６１：ＹＥＳ）、制御部４０１は、計数処理を終了し（Ｓ６２）、図１７（ａ）の問い合わせ画面５５０を操作表示部１３に表示させる（Ｓ６３）。
【０１４５】
問い合わせ画面５５０には、収納袋１８が満杯になったことを報知するメッセージ５５０ａと、計数結果画像５５０ｂと、ボタン５５０ｃ、５５０ｄとが含まれる。
【０１４６】
ユーザは、メッセージ５５０ａおよび計数結果画像５５０ｂを確認した後、当該取引に対する処理を取り消すか、継続するかを検討する。ユーザは、当該取引の処理を取り消す場合、ボタン５５０ｃを操作し、当該取引の処理を継続する場合、ボタン５５０ｄを操作する。ユーザがボタン５５０ｃを操作すると、図１６のステップＳ６４の判定がＮＯとなり、制御部４０１は、取消処理を実行する（Ｓ６５）。取消処理（Ｓ６５）については、追って、図１９を参照して説明する。
【０１４７】
他方、ユーザがボタン５５０ｄを操作すると、ステップＳ６４の判定がＹＥＳとなり、制御部４０１は、図９のステップＳ２１において設定された当該取引の取引番号を修正する（Ｓ６６）。たとえば、図１８に示すように、当該取引に設定された取引番号が「０００４」であった場合、制御部４０１は、当該取引の取引番号を「０００４−１」に修正する。
【０１４８】
次に、制御部４０１は、当該フル検知が図１２（ａ）のジャム処理中に検知されたものであるか否かを判定する（Ｓ６７）。すなわち、収納袋１８の満杯は、図９のステップＳ２３における通常の計数処理の他、図１２（ａ）のステップＳ３４におけるジャム処理時の計数処理においても起こり得る。図１６のステップＳ６７では、これら２つの計数処理のうち、何れの計数処理において、収納袋１８の満杯が生じたかが判別される。
【０１４９】
なお、図１２（ｂ）のやり直し処理は、当該取引に対する全ての硬貨の計数がフル検知されることなく一旦終了した後に、再度、実行されるものであるため、やり直し処理では、ステップＳ４３の計数処理において収納袋１８が満杯になることは想定されにくい。このため、図１６のステップＳ６７では、図１２（ｂ）のやり直し処理は、判定の対象外とされている。しかし、やり直し処理時にもフル検知が生じる可能性がある場合は、ステップＳ６７の判定対象に、やり直し処理が含まれてもよい。この場合、やり直し処理時にフル検知が生じると、ステップＳ６７の判定がＹＥＳとなる。
【０１５０】
ステップＳ６７の判定がＹＥＳであると、制御部４０１は、フル検知までの硬貨の計数結果と、在高履歴ファイル４０２ａにおいてステータスが「未回収」に設定されている前回以前の取引に係る計数結果との差分により、フル検知までに計数された当該取引に係る各金種の計数結果を算出する（Ｓ６８）。すなわち、ジャム処理時にフル検知が生じた場合、フル検知までの計数結果は、当該取引においてジャム検知までに当該収納袋１８に収納された硬貨と、当該取引より以前の取引により当該収納袋１８に収納された硬貨とが合わさった全硬貨の計数結果となる。よって、ステップＳ６８の処理により、上記の差分を算出することで、フル検知までに計数された当該取引に係る各金種の計数結果を算出できる。
【０１５１】
ステップＳ６７の判定がＮＯの場合、すなわち、通常の計数処理においてフル検知が生じた場合、制御部４０１は、ステップＳ６８の処理をスキップする。この場合、制御部４０１は、図９のステップＳ２３において、当該取引においてフル検知が生じるまでに収納袋１８に収納された硬貨を計数しているため、その計数結果を、当該取引に係る計数結果とすればよい。このため、制御部４０１は、ステップＳ６７の判定がＮＯの場合は、ステップＳ６８の処理をスキップして、それまでの計数結果を当該取引の計数結果として用いる。
【０１５２】
こうして、ステップＳ６７の判定がＹＥＳまたはＮＯの場合の当該取引における計数結果を取得した後、制御部４０１は、当該計数結果を、ステップＳ６６で修正された取引番号に対応付けて、在高履歴ファイル４０２ａに登録する（Ｓ６９）。そして、制御部４０１は、図１４（ａ）に示した処理と同様の回収処理を実行し（Ｓ７０）、当該収納袋１８をユーザに取り出させる。また、この回収処理により、たとえば、図１８に示すように、取引番号「０００４−１」に対応付けて、フル検知が生じるまでの当該取引の計数結果が、在高履歴ファイル４０２ａに登録される。
【０１５３】
その後、ユーザにより、収納袋１８が取り出されると、制御部４０１は、新しい収納袋１８をセットするための処理を実行する（Ｓ７１）。すなわち、制御部４０１は、図１７（ｂ）に示す収納袋セット要求画面５５１を、操作表示部１３に表示させる（Ｓ７０）。収納袋セット要求画面５５１は、ユーザに新しい収納袋１８をセットするよう促すメッセージ５５１ａと、ボタン５５１ｂとが含まれる。ユーザは、メッセージ５５１ａを参照して、新しい収納袋１８をシュート１６にセットした後、ボタン５５１ｂを操作する。これにより、制御部４０１は、ホッパー１１に残っている硬貨について、取引番号を設定する（Ｓ７２）。この場合、この取引番号は、１つの取引に係る硬貨が２つの収納袋１８に分割して収納されたことが分かるように設定される。
【０１５４】
たとえば、ステップＳ６６の処理で修正された取引番号が「０００４−１」である場合、ステップＳ７１で設定される取引番号は、「０００４−２」である。そして、制御部４０１は、図９のステップＳ２２以降の処理を実行する。これにより、新たにセットされた収納袋１８に対して、ホッパー１１に残っている硬貨の収納処理が行われる。この処理が終了すると、図９のステップＳ２９において、残りの硬貨に対する計数結果が、在高履歴ファイル４０２ａに登録される。この場合、この計数結果には、図１６のステップＳ７１で設定された取引番号が対応付けられる。たとえば、図１８に示すように、取引番号「０００４−２」に対して、ホッパー１１に残っていた硬貨の計数結果が対応付けられる。その後、他の取引に対する処理が行われると、図１８に示すように、他の取引に対して図９のステップＳ２１で設定された取引番号に、他の取引に係る硬貨の計数結果が対応付けられて記憶される。
【０１５５】
次に、図１６のステップＳ６５の取消処理について説明する。
【０１５６】
図１９は、取消処理を示すフローチャートである。
【０１５７】
まず、制御部４０１は、収納袋１８の取出し処理（Ｓ８１）と、当該収納袋１８に収納されている硬貨の再投入処理（Ｓ８２）を実行する。ステップＳ８１、８２の処理は、図１２（ａ）のステップＳ３２、Ｓ３３と同様である。ユーザが、収納袋１８内の硬貨をホッパー１１に再投入する操作を行うと、制御部４０１は、再投入された硬貨を収納袋１８とリジェクト箱２６とに振り分ける処理を行う（Ｓ８３）。
【０１５８】
ステップＳ８３において、制御部４０１は、在高履歴ファイル４０２ａにおいてステータスが「未回収」になっている取引の計数結果を読み出す。そして、制御部４０１は、収納袋１８に収納される硬貨の金種および金種ごとの枚数が、読み出した計数結果の金種ごとの総計と合致するように、ホッパー１１に再投入された硬貨を収納袋１８に収納する。所定の金種に対して収納袋１８に対する収納が完了すると、制御部４０１は、その後、当該金種の硬貨が識別部５０で識別された場合、その硬貨をリジェクト箱２６に振り分ける。
【０１５９】
振り分け処理時にジャムが検知されると（Ｓ８４：ＹＥＳ）、制御部４０１は、ジャム復旧処理を行った後（Ｓ８５）、処理をステップＳ８１に戻して、再度同様の処理を行う。ジャム復旧処理（Ｓ８５）は、図１２（ａ）のステップＳ３１の処理と同様である。こうして、ジャムが発生することなく（Ｓ８４：ＮＯ）、全ての金種について、収納袋１８に対する収納が終了すると（Ｓ８６：ＹＥＳ）、ホッパー１１に残っている全ての硬貨をリジェクト箱２６に搬送し（Ｓ８７）、回収処理を実行する（Ｓ８８）。回収処理（Ｓ８８）は、図１４（ａ）と同様である。これにより、フル検知時に在高履歴ファイル４０２ａにおいてステータスが「未回収」になっていた取引に係る硬貨のみが収納袋１８に収納された状態で、収納袋１８が封緘され、取出し可能となる。このとき、在高履歴ファイル４０２ａにおいて当該取引に対するステータスが「未回収」から「回収済」に変更される。こうして、フル検知処理が終了する。
【０１６０】
次に、複数の収納袋１８の在高を集計するための集計処理について説明する。
【０１６１】
図２０は、集計処理を示すフローチャートである。この処理は、図８（ａ）の初期画面において、ボタン５０２が操作されることにより実行される。
【０１６２】
制御部４０１は、図２１（ａ）に示す集計入力画面５６０を操作表示部１３に表示させる。集計入力画面５６０には、集計対象の袋番号の入力を促すメッセージ５６０ａと、袋番号の入力エリア５６０ｂ、５６０ｃと、ボタン５６０ｄ、５６０ｅ、５６０ｆと、テンキー５６０ｇとが含まれる。ユーザは、メッセージ５６０ａを参照して、入力エリア５６０ｂ、５６０ｃに集計対象の袋番号を入力する。
【０１６３】
ここでは、入力エリア５６０ｂ、５６０ｃが、範囲指定により、袋番号を特定するように調整されている。たとえば、袋番号００１〜００４までの収納袋１８の集計を行う場合、ユーザは、入力エリア５６０ｂに「００１」を入力し、入力エリア５６０ｃに「００４」を入力する。範囲指定でなく、集計対象の袋番号を個別に入力するように、入力エリアが構成されてもよい。
【０１６４】
ユーザは、入力エリア５６０ｂ、５６０ｃに袋番号を入力すると、ボタン５６０ｅを操作する。これにより、制御部４０１は、図２０のステップＳ１０２の処理を実行する。
【０１６５】
なお、ユーザは、入力エリア５６０ｂ、５６０ｃに入力した袋番号を訂正する場合、訂正対象の入力エリアを選択して、ボタン５６０ｄを操作する。これにより、当該入力エリアの袋番号が削除され、ユーザは、適切な袋番号を入力し直すことができる。また、ユーザは、集計処理を中止する場合、ボタン５６０ｆを操作する。これにより、制御部４０１は、画面を、図８（ａ）の初期画面５００に戻す。
【０１６６】
ステップＳ１０２において、制御部４０１は、在高履歴ファイル４０２ａから入力エリア５６０ｂ、５６０ｃで範囲指定された袋番号に対応付けられている取引結果（計数結果）を読み出し、読み出した取引結果を集計する。そして、制御部４０１は、図２１（ｂ）に示す集計結果画面５６１を操作表示部１３に表示させる（Ｓ１０３）。
【０１６７】
集計結果画面５６１には、ユーザが指定した収納袋１８の範囲を示す項目５６１ａ、５６１ｂと、この範囲の集計結果が表示されることを示すメッセージ５６１ｃと、集計結果が表示される集計結果画像５６１ｄと、ボタン５６１ｅ、５６１ｆとが含まれる。
【０１６８】
ユーザは、集計結果画像５６１ｄに表示された集計結果を確認した後、ボタン５６１ｅを操作する。これにより、どうようの集計結果が、レシート印字ユニット１４によりレシート用紙に印字され、送出される。ユーザは、集計結果が印字されたレシート用紙を収納袋１８の回収業者に提示することができる。こうして、集計処理が終了する。印字を行わない場合、ユーザは、ボタン５６１ｆを操作する。これにより、制御部４０１は、画面を、図２１（ａ）の集計入力画面５６０に戻す。
【０１６９】
このような集計結果は、たとえば、レシート印字ユニット１４によりレシート用紙に印字し、収納袋１８の回収業者に提示することができる。
【０１７０】
なお、上記では、収納袋１８の袋番号を範囲指定したが、収納袋１８を１つずつ指定しても構わない。
【０１７１】
ユーザは、たとえば、窓口で保有していた硬貨の残金が少なくなったような場合、収納袋１８を開封して、収納袋１８から硬貨を取り出す。この場合、在高履歴ファイル４０２ａから、開封した収納袋１８に係る取引結果を消去する必要がある。以下、この場合の消去処理について説明する。
【０１７２】
図２２は、消去処理を示すフローチャートである。この消去処理は、図８（ａ）の初期画面において、ボタン５０３が操作された場合に実行される。
【０１７３】
まず、制御部４０１は、図２３（ａ）に示す消去受付画面５７０を操作表示部１３に表示させる（Ｓ２０１）。消去受付画面５７０には、収納袋１８の袋番号または取引番号の何れかを入力するよう促すメッセージ５７０ａと、入力エリア５７０ｂ、５７０ｃと、ボタン５７０ｄ、５７０ｅ、５７０ｆと、テンキー５７０ｇとが含まれる。
【０１７４】
在高履歴ファイル４０２ａから消去する取引情報を袋番号により特定する場合、ユーザは、入力エリア５７０ｂに、当該袋番号を入力する。また、在高履歴ファイル４０２ａから消去する所望の袋番号の取引情報を当該袋番号に対応付けられている何れかの取引番号により特定する場合、ユーザは、入力エリア５７０ｃに、当該取引番号を入力する。
【０１７５】
たとえば、図１１の在高履歴ファイル４０２ａにおいて、ユーザが、袋番号００２に対応付けられた取引情報を消去したい場合、入力エリア５７０ｂに「００２」と入力する。あるいは、この場合、ユーザは、当該袋番号００２の収納袋１８に対応付けられている取引番号０００５〜００１０の何れかを、入力エリア５７０ｃに入力してもよい。
【０１７６】
たとえば、ユーザは、封緘済みの収納袋１８を開封する場合、当該収納袋１８を封緘している封緘具１９の印字領域１３１の印字（図１５（ａ）参照）を参照して、袋番号あるいは取引番号を確認する。そして、ユーザは、確認した袋番号あるいは取引番号の何れかを、図２３（ａ）の入力エリア５７０ｂ、５７０ｃの何れかに入力して、ボタン５７０ｅを操作する。入力した袋番号あるいは取引番号を訂正する場合、ユーザは、訂正対象の入力エリアを操作した後、ボタン５７０ｄを操作する。その後、ユーザは、テンキー５７０ｇにより、袋番号または取引番号を入力し、ボタン５７０ｅを操作する。
【０１７７】
こうして、ボタン５７０ｅが操作されると、制御部４０１は、図２２のステップＳ２０２において、消去対象の袋番号を特定する（Ｓ２０２）。入力エリア５７０ｂに袋番号が入力された場合、制御部４０１は、入力された袋番号を、消去対象の袋番号として特定する。入力エリア５７０ｃに取引番号が入力された場合、制御部４０１は、在高履歴ファイル４０２ａにおいて、入力された取引番号に対応付けられている袋番号を、消去対象の袋番号として特定する。その後、制御部４０１は、図２３（ｂ）に示す消去確認画面５７１を操作表示部１３に表示させる。
【０１７８】
消去確認画面５７１には、図２２のステップＳ２０２で特定された袋番号を表示する表示エリア５７１ａと、表示エリア５７１ａに表示されている袋番号の取引情報を消去することを報知するメッセージ５７１ｂと、ボタン５７１ｃ、５７１ｄとが含まれる。ユーザは、表示エリア５７１ａに表示された袋番号を確認した後、ボタン５７１ｃを操作する。これにより、制御部４０１は、図２２のステップＳ２０４において、当該袋番号に対応付けられている全ての履歴情報を消去する。こうして、消去処理が終了する。
【０１７９】
なお、履歴情報が消去されても、在高履歴ファイル４０２ａにおいて登録されている残りの履歴情報の袋番号および取引番号は修正されない。たとえば、図１１の場合、袋番号００２の履歴情報が消去されても、袋番号００３以降の番号が繰り上がることはない。取引番号も同様である。
【０１８０】
図２３（ａ）の消去受付画面５７０においてボタン５７０ｆが操作されると、制御部４０１は、画面を、図８（ａ）の初期画面５００に戻す。また、図２３（ｂ）の消去確認画面５７１において、ボタン５７１ｄが操作されると、制御部４０１は、画面を、図２３（ａ）の消去受付画面５７０に戻す。
【０１８１】
＜実施形態１の効果＞
本実施形態によれば、以下の効果が奏され得る。
【０１８２】
収納袋１８には、複数の取引による硬貨が纏めて収納される。よって、シュート１６に対する収納袋１８の着脱回数を低減でき、ユーザの作業負担を軽減できる。また、複数の取引に対して１つの収納袋１８が用いられるため、多数の収納袋１８を用意しておかなくてもよい。これにより、収納袋１８に掛かる費用と収納袋１８の保管スペースを削減できる。また、１つの収納袋１８に収納された硬貨の計数結果が、取引ごとに、記憶部４０２に記憶される。このため、１つの収納袋１８を用いた複数取引に対する硬貨の処理を、適切に管理できる。
【０１８３】
また、図１１に示すように、記憶部４０２の在高履歴ファイル４０２ａには、各取引の取引結果が記憶されている。このため、たとえば、制御部４０１が計数処理を再度実行する場合、以前までの計数結果を有効に活用して、複数の取引に対する処理を円滑に再度実行できる。
【０１８４】
たとえば、図１２（ａ）に示すように、制御部４０１によって計数処理が実行されている間にジャム（硬貨詰まり）が発生した場合、制御部４０１は、再度の計数処理において計数された硬貨の計数結果からジャムが発生する以前までになされた取引の計数結果を差し引くことにより、今回分の取引の計数結果を算出することができる。これにより、制御部４０１は、ジャムが発生した取引の計数結果を円滑に取得でき、当該計数結果を在高履歴ファイル４０２ａに適正に登録できる。このように、ジャムが発生した場合であっても、適切に今回の取引による硬貨を適切に計数し、収納袋１８に収納することができる。
【０１８５】
あるいは、図１２（ｂ）に示すように、ユーザによりやり直し処理が選択された場合、制御部４０１は、再度の計数処理において計数された硬貨の計数結果から以前までになされた取引の計数結果を差し引くことにより、今回分の取引の計数結果を円滑に算出することができる。これにより、制御部４０１は、やり直し処理時の計数結果を円滑に取得でき、当該計数結果を在高履歴ファイル４０２ａに適正に登録できる。
【０１８６】
また、図１６のフル検知処理においてユーザにより取消処理が選択された場合、制御部４０１は、フル検知されるまでの間に在高履歴ファイル４０２ａに登録された取引の計数結果に整合するよう、収納袋１８に硬貨を収納させつつ、フル検知時に行われていた取引に係る処理を円滑に取り消すことができる。また、このとき、フル検知時に行われていた取消対象の取引に係る硬貨は、リジェクト箱２６に振り分けられるため、ユーザは、リジェクト箱２６から取消対象の取引係る硬貨を円滑に回収することができる。
【０１８７】
また、図１６のフル検知処理においてユーザにより処理の継続が選択された場合、収納袋１８が満杯になるまで、収納袋１８に硬貨を収納させることができる。よって、収納袋１８をより効率的に利用できる。また、この場合、１つの取引に係る硬貨が２つの収納袋１８に分割されて収納されるが、各収納袋１８に収納された硬貨の計数結果は、図１８に示すように、同じ取引に対する計数結果であることが分かるように識別番号が付与されて、在高履歴ファイル４０２ａに登録される。よって、識別番号により、当該取引に用いられた収納袋１８を特定できる。よって、取引と収納袋１８との関係を正確に管理できる。
【０１８８】
また、図１５（ａ）に示すように、収納袋１８に収納される硬貨の計数結果が収納袋１８を封緘する封緘具１９の印字タグ１３０に印字される。このため、ユーザは、収納袋１８がシュート１６から取り外されて他の場所に保管されても、収納袋１８に一体化されている印字タグ１３０により、当該収納袋１８に収納されている硬貨の計数結果を把握できる。
【０１８９】
また、図１５（ａ）に示すように、印字タグ１３０には、その収納袋１８に対して行われた複数の取引の取引番号が印字される。これにより、ユーザは、印字タグ１３０を参照することにより、収納袋１８に対して行われた各取引を把握できる。よって、ユーザは、たとえば、保管場所に保管されている収納袋１８から、所定の取引に対応する収納袋１８を探すことができる。
【０１９０】
また、図２２、図２３（ａ）、（ｂ）に示すように、制御部４０１は、消去処理において、既に回収した収納袋１８を特定する情報（袋番号、取引番号）の入力を受け付けると、在高履歴ファイル４０２ａから当該収納袋１８に対応付けられている取引情報を消去する。これにより、ユーザは、たとえば、保管場所に保管されている収納袋１８を開封して収納袋１８内の硬貨を使用する場合、当該収納袋１８を特定する情報を入力することにより、当該収納袋１８に対応付けられている全取引の計数結果を、在高履歴ファイル４０２ａから一度に消去できる。
【０１９１】
この場合、ユーザは、取引情報を消去したい収納袋１８の袋番号（収納袋１８の識別情報）または当該袋番号に対応付けられている取引番号（取引の識別番号）の何れかを入力すればよい。よって、ユーザは、簡便な入力操作により、所望の収納袋１８に対応付けられている取引情報（計数結果）を円滑に消去できる。
【０１９２】
また、図２０、図２１（ａ）、（ｂ）に示すように、制御部４０１は、集計処理において袋番号を受け付けた場合、在高履歴ファイル４０２ａから該当する袋番号の収納袋１８を読み出して、それらの集計結果を操作表示部１３に表示させ、さらに、集計結果を印刷用紙に印刷して出力させる。これにより、ユーザは、集計対象の収納袋１８に収納されている硬貨の集計結果を把握できる。また、集計結果を印刷した印刷用紙を、収納袋１８の回収業者に提示できる。
【０１９３】
なお、取引情報を消去したい収納袋１８を回収した日付を指定することにより、当該収納袋１８に対応付けられている全取引の計数結果を、在高履歴ファイル４０２ａから一度に消去してもよい。
【０１９４】
＜実施形態２＞
上記実施形態１では、印字タグ１３０を備える封緘具１９によって収納袋１８を封緘したが、収納袋の封緘はこれに限られない。たとえば、収納袋の収納口をパウチしてもよい。実施形態２では、そのような構成の硬貨処理装置について説明する。
【０１９５】
実施形態２においては、封止機構７１０と装着部６１７とが、特許請求の範囲に記載の「収納処理部」に対応する。また、識別部６２９が、特許請求の範囲に記載の「計数部」に対応する。また、レシート印字ユニット６２４ａおよびプリンタ６２４ｂが特許請求の範囲に記載の「出力部」に対応する。また、リジェクト硬貨収納箱は、特許請求の範囲に記載の「他の収納部」
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【０１９６】
図２４は、硬貨処理装置６の外観を示す斜視図である。図２６では、装着部６１７が引き出された状態の硬貨処理装置６が示されている。
【０１９７】
図２４に示すように、硬貨処理装置６は、ほぼ直方体状の筐体６００を備える。筐体６００の天面には、中央部に硬貨の投入口であるホッパー６１１が設けられる。ホッパー６１１は蓋６１２で覆われており、ホッパー６１１に硬貨が投入される際に蓋６１２が開放される。
【０１９８】
筐体６００内の前部には、６つの金種別硬貨収納箱６１３が、左右方向に並ぶように配置されている。各金種別硬貨収納箱６１３は上面が開口する。６つの金種別硬貨収納箱６１３は、右側から順に、１円硬貨が収納される１円収納箱６１３ａ、５０円硬貨が収納される５０円収納箱６１３ｂ、５円硬貨が収納される５円収納箱６１３ｃ、１００円硬貨が収納される１００円収納箱６１３ｄ、１０円硬貨が収納される１０円収納箱６１３ｅ、５００円硬貨が収納される５００円収納箱６１３ｆとされる。６つの金種別硬貨収納箱６１３は、筐体６００の左端部の位置から中央部よりもやや右側の位置に掛けて配置される。
【０１９９】
６つの金種別硬貨収納箱６１３の前方は、扉６１４により覆われる。扉６１４は前方に倒すようにして開くことができ、扉６１４が開かれると６つの金種別硬貨収納箱６１３が外部に露出する。この状態で各金種別硬貨収納箱６１３を前方へ引き出すことができ、その中に収納された硬貨を取り出すことができる。
【０２００】
筐体６００内の前部には、６つの金種別硬貨収納箱６１３の右方に、前面が開口する収容部６１５が設けられる。収容部６１５内には、収納袋６１６が装着される装着部６１７が収容される。収納袋６１６には硬貨が収納される。装着部６１７は、収納袋６１６の上部を保持する上保持部６１８と、方形の板状に形成され、収納袋６１６の底面を保持する下保持部６１９とを含む。装着部６１７の後部において、上保持部６１８と下保持部６１９との間が、方形の板状を有する連結部６２０により連結される。上保持部６１８には、封止機構（後述する）が含まれる。収納袋６１６に硬貨が収納された後、封止機構によって収納袋６１６の収納口が封止される（パウチされる）。
【０２０１】
装着部６１７は、収容部６１５に収容された状態において、その前部が筐体６００の前面よりも前方へ張り出す。筐体６００には、収容部６１５から前方に張り出すように装着部カバー６２１が設けられており、装着部６１７の上保持部６１８が、上側と左右両側から装着部カバー６２１に覆われる。上保持部６１８の前側には扉６２２が取り付けられており、装着部カバー６２１の前面の開口６２１ａが扉６２２で塞がれる。扉６２２の下端部には、取っ手６２２ａが設けられる。
【０２０２】
操作者が取っ手６２２ａを持って扉６２２を前方に移動させると、図２６のように、装着部６１７が前方に引き出される。装着部６１７全体が収容部６１５よりも前に出た状態となり、装着部６１７の上保持部６１８の大部分が外部に露出した状態となる。装着部６１７が前方に引き出される際、上保持部６１８の両側が、装着部カバー６２１の内側に設けられたレール６２３により案内される。装着部６１７が前方に引き出されると、装着部６１７への収納袋６１６の装着が可能となり、また、装着部６１７からの収納袋６１６の取り外しが可能となる。
【０２０３】
硬貨処理装置６は、レシート印字ユニット６２４ａとプリンタ６２４ｂとを備える。レシート印字ユニット６２４ａは、筐体６００内の上部であってホッパー６１１の左方に配置される。レシート印字ユニット６２４ａは、レシート用紙に印字を行う。たとえば、レシート印字ユニット６２４ａは、収納袋６１６に収納された硬貨の在高情報（金種別の硬貨の枚数等）を、レシート用紙に印字する。印字後のレシート用紙は、筐体６００の天面に形成された排出口６２４ｃから排出される。
【０２０４】
プリンタ６２４ｂは、ラベルシールの印字領域に印字を行う。プリンタ６２４ｂは、筐体６００の天面であってホッパー６１１の上方にプリンタ６２４ｂが配置される。プリンタ６２４ｂは、汎用のプリンタを用いることができる。ラベルシールの印字領域には、収納袋６１６に収納された硬貨の在高情報（金種別の硬貨の枚数等）が印字される。印字後のラベルシールは、プリンタ６２４ｂの排出口（図示せず）から排出される。
【０２０５】
なお、ラベルシールには、上記実施形態１の印字タグ１３０と同様、文字の他、模様やマーク等が印刷されてもよい。
【０２０６】
筐体６００の天面には、ホッパー６１１の右方に表示部６２５と操作部６２６とが設けられる。液晶パネル等で構成され、硬貨の計数結果（枚数、金額）等の情報を表示する。操作部６２６は、３つのボタン６２６ａは、収納処理を受け付ける。ボタン６２６ｂは、収納袋６１６の集計を受け付ける。ボタン６２６ｃは、収納袋６１６の履歴の消去を受け付ける。
【０２０７】
図２５は、硬貨処理装置６の内部の構成を示す平面図である。
【０２０８】
筐体６００内には、６つの金種別硬貨収納箱６１３および装着部６１７よりも上側に、投入部６２７、搬送部６２８および識別部６２９が配置される。
【０２０９】
投入部６２７は、ホッパー６１１の下方に配置され、回転円盤６３０と、回転円盤６３０を囲む円環状の周壁６３１とを含む。周壁６３１には、筐体６００の右側面と対向する一部分が切り欠かれることにより、硬貨の出口６３２が形成される。投入部６２７には、出口６３２の近傍であって回転円盤６３０の上方に、規制部材６３３が配置される。回転円盤６３０と規制部材６３３との間には、硬貨の厚みより僅かに大きな隙間が形成される。
【０２１０】
投入部６２７には、ホッパー６１１を通じて硬貨が投入される。投入された硬貨は、回転円盤６３０上に載せられる。回転円盤６３０が上方から見て右方向に回転すると、回転円盤６３０上の硬貨が、遠心力によって周壁６３１側へと移動して出口６３２から排出される。このとき、回転円盤６３０と規制部材６３３との隙間を硬貨が通ることで、硬貨が複数枚の重なった状態で排出されることが防止される。よって、投入部６２７の出口６３２からは、硬貨が一枚ずつ排出される。
【０２１１】
搬送部６２８は、投入部６２７から排出された硬貨を、６つの金種別硬貨収納箱６１３と装着部６１７に装着された収納袋６１６へ選択的に搬送する。搬送部６２８は、搬送通路部６３４と、第１搬送ベルト機構６３５と、第２搬送ベルト機構６３６と、第１振分機構６３７と、第２振分機構６３８と、開閉板６３９とを備える。
【０２１２】
搬送通路部６３４は、硬貨が移動する搬送通路６４０を有する。搬送通路６４０は、筐体６００の右側面と前面とに沿うＬ字状の通路底板６４１の上面に、通路底板６４１の外縁側に沿うＬ字状の外側通路部材６４２と通路底板６４１の内縁側に沿うＬ字状の内側通路部材６４３とが配置されることにより、外側通路部材６４２と内側通路部材６４３の間に形成される。搬送通路６４０は、投入部６２７の出口６３２に繋がり、出口６３２から筐体６００の前面近傍へと延びる第１通路６４０ａと、第１通路６４０ａに続き、左側へ湾曲する第２通路６４０ｂと、第２通路６４０ｂに続き、筐体６００の前面に沿って筐体６００の左側面近傍へと延びる第３通路６４０ｃとで構成される。第１通路６４０ａおよび第２通路６４０ｂは、外側通路部材６４２と内側通路部材６４３とで挟まれ、サイズの最も大きな５００円硬貨より僅かに大きな幅を有する。一方、第３通路６４０ｃの位置には、内側通路部材６４３が配置されておらず、第３通路６４０ｃは、外側通路部材６４２と反対側が開放されている。
【０２１３】
第１搬送ベルト機構６３５は、第１通路６４０ａと第２通路６４０ｂの上方に設けられる。第１搬送ベルト機構６３５は、第１通路６４０ａにおける投入部６２７の出口６３２の近傍に配置された第１プーリ６４４と、第２通路６４０ｂに配置された第２プーリ６４５と、第１プーリ６４４と第２プーリ６４５との間に架け渡された搬送ベルト６４６を含む。搬送ベルト６４６が周回すると、投入部６２７から排出された硬貨が、搬送ベルト６４６と第１通路６４０ａの底面に挟まれるようにして第１通路６４０ａを移動し、第２通路６４０ｂへと至る。
【０２１４】
第２搬送ベルト機構６３６は、第２通路６４０ｂと第３通路６４０ｃの上方に設けられる。第２搬送ベルト機構６３６は、第２通路６４０ｂに配置された第１プーリ６４７と、第３通路６４０ｃの左端に配置された第２プーリ６４８と、第１プーリ６４７と第２プーリ６４８との間に架け渡された２本の搬送ベルト６４９を含む。搬送ベルト６４９が周回すると、第２通路６４０ｂに至った硬貨が、搬送ベルト６４９と第２通路６４０ｂの底面に挟まれるようにして第２通路６４０ｂを移動し、さらに、搬送ベルト６４９と第３通路６４０ｃの底面に挟まれるようにして第３通路６４０ｃを移動する。
【０２１５】
第１搬送ベルト機構６３５および第２搬送ベルト機構６３６によって搬送通路６４０を搬送される硬貨は、外側通路部材６４２の壁面６４２ａに接触し、壁面６４２ａに沿うようにして移動する。
【０２１６】
第１通路６４０ａには、長円状のリジェクト孔６５０が形成される。外側通路部材６４２の壁面６４２ａからリジェクト孔６５０における壁面６４２ａから遠い縁までの寸法は、サイズが最も小さな１円硬貨の径よりも小さくされる。このため、第１通路６４０ａを壁面６４２ａに沿って移動する硬貨は、通常、リジェクト孔６５０を跨ぐようにして通過する。
【０２１７】
硬貨をリジェクト孔６５０に導くため、搬送部６２８には、リジェクト孔６５０に対応して第１振分機構６３７が設けられる。第１振分機構６３７は、レバー６５１と、レバー６５１の一端に回転自在に取り付けられたローラ６５２とを含む。レバー６５１は、その他端に支点６５１ａを有し、支点６５１ａを中心に回動できるよう外側通路部材６４２に取り付けられる。外側通路部材６４２には、リジェクト孔６５０の近傍に凹部６４２ｂが形成され、この凹部６４２ｂにローラ６５２が収容される。
【０２１８】
第１通路６４０ａにはリジェクト孔６５０の直前に硬貨の通過を検知する通過検知センサ６５３が配置される。正常な硬貨でないリジェクト硬貨の通過を通過検知センサ６５３が検知すると、レバー６５１が上方から見て左方向に回動し、ローラ６５２が第１通路６４０ａ内へ進出する。外側通路部材６４２の壁面６４２ａに沿って移動してきたリジェクト硬貨は、ローラ６５２によってリジェクト孔６５０側に押され、リジェクト孔６５０を跨ぐことができず、傾くようにしてリジェクト孔６５０に落下する。リジェクト孔６５０に落下したリジェクト硬貨は、シュート（図示せず）を通ってリジェクト硬貨収納箱（図示せず）に収納される。
【０２１９】
第２通路６４０ｂには、その底面を構成する通路底板６４１に、方形状の選別口６５４が形成される。選別口６５４は、開閉板６３９により塞がれる。開閉板６３９の上を硬貨が移動できるように、開閉板６３９の表面は通路底板６４１の表面と面一となっている。開閉板６３９は、その一端側に設けられた軸６３９ａを中心に下方に回動できる。開閉板６３９が下方に回動されると、選別口６５４が開かれる。選別口６５４が開かれた場合、第２通路６４０ｂへ至った硬貨が選別口６５４へ落下する。選別口６５４に落下した硬貨は、シュート（図示せず）を通り、装着部６１７に装着された収納袋６１６に収納される。
【０２２０】
第３通路６４０ｃには、６つの選別孔６５５が形成される。６つの選別孔６５５は、右から順に、１円選別孔６５５ａ、５０円選別孔６５５ｂ、５円選別孔６５５ｃ、１００円選別孔６５５ｄ、１０円選別孔６５５ｅ、５００円選別孔６５５ｆとされ、それぞれ位置が、１円収納箱６１３ａ、５０円収納箱６１３ｂ、５円収納箱６１３ｃ、１００円収納箱６１３ｄ、１０円収納箱６１３ｅ、５００円収納箱６１３ｆの位置に対応する。１円選別孔６５５ａ、５０円選別孔６５５ｂ、５円選別孔６５５ｃ、１００円選別孔６５５ｄ、１０円選別孔６５５ｅは長円形状を有し、５００円選別孔６５５ｆは方形状を有する。
【０２２１】
硬貨は、サイズが小さい順に、１円、５０円、５円、１００円、１０円、５００円となる。外側通路部材６４２の壁面６４２ａから各選別孔６５５における壁面６４２ａから遠い縁までの寸法は、１円選別孔６５５ａでは１円硬貨の径より大きく５０円硬貨の径より小さくされており、５０円選別孔６５５ｂでは５０円硬貨の径より大きく５円硬貨の径より小さくされており、１００円選別孔６５５ｄでは１００円硬貨の径より大きく１０円硬貨の径より小さくされており、１０円選別孔６５５ｅでは１０円硬貨の径より大きく５００円硬貨の径より小さくされており、５００円選別孔６５５ｆでは５００円硬貨の径より大きくされている。このため、第３通路６４０ｃを外側通路部材６４２の壁面６４２ａに沿って移動する５円以外の各金種の硬貨は、それぞれに対応する選別孔６５５へ至ったときに、その選別孔６５５を跨ぐことができず、傾くようにしてその選別孔６５５に落下する。各選別孔６５５に落下した硬貨は、シュート（図示せず）を通って、その選別孔６５５に対応する金種別硬貨収納箱６１３に収納される。
【０２２２】
一方、５円選別孔６５５ｃでは、上記の寸法が５円硬貨の径よりも小さくされている。これは、５円硬貨と１００円硬貨では径の差が小さいため、上記の寸法を５円硬貨の径より大きく１００円硬貨の径より小さくすると、誤って５円選別孔６５５ｃに１００円硬貨が落下しやすいためである。よって、５円硬貨を５円選別孔６５５ｃに強制的に落下させることができるように、搬送部６２８には、５円選別孔６５５ｃに対応して第２振分機構６３８が設けられる。
【０２２３】
第２振分機構６３８は、レバー６５６と、レバー６５６の一端に回転自在に取り付けられたローラ６５７とを含む。レバー６５６は、その他端に支点６５６ａを有し、支点６５６ａを中心に回動できるよう外側通路部材６４２に取り付けられる。外側通路部材６４２には、５円選別孔６５５ｃの近傍に凹部６４２ｃが形成され、この凹部６４２ｃにローラ６５７が収容される。
【０２２４】
第３通路６４０ｃには、５円選別孔６５５ｃの直前に硬貨の通過を検知する通過検知センサ６５８が配置される。５円硬貨の通過を通過検知センサ６５８が検知すると、レバー６５６が上方から見て右方向に回動し、ローラ６５７が第３通路６４０ｃ内へ進出する。外側通路部材６４２の壁面６４２ａに沿って移動してきた５円硬貨は、ローラ６５７によって５円選別孔６５５ｃ側に押され、５円選別孔６５５ｃを跨ぐことができず、傾くようにして５円選別孔６５５ｃに落下する。５円選別孔６５５ｃに落下した硬貨は、シュート（図示せず）を通って、５円収納箱６１３ｃに収納される。
【０２２５】
搬送通路６４０（第１通路６４０ａ）における、リジェクト孔６５０よりも硬貨の流れの上流側に識別部６２９が配置される。識別部６２９は、磁気センサ６５９と一対のイメージセンサ６６０を含み、搬送通路６４０を搬送される硬貨の正損、真偽、金種等を識別する。また、識別部６２９は硬貨の計数を行う。
【０２２６】
投入部６２７から排出された硬貨は識別部６２９で識別および計数され、その結果、正常と識別された硬貨が第２通路６４０ｂに搬送される。第２通路６４０ｂでは、選別口６５４が開かれている。よって、第２通路６４０ｂに至った硬貨は、選別口６５４から落下して収納袋６１６に収納される。リジェクト硬貨は、第１振分機構６３７で振り分けられてリジェクト硬貨収納箱に収納される。
【０２２７】
図２６は、装着部６１７を構成する上保持部６１８の斜視図である。
【０２２８】
上保持部６１８は、四角形の枠体７００内に、装着部６１７に装着された収納袋６１６の収納口を閉じるための封止機構７１０を備える。枠体７００は、前面板７０１と、後面板７０２と、左側面板７０３と、右側面板７０４とにより構成される。前面板７０１と後面板７０２には、左右方向に延びる細長いガイド孔７０５が形成される。左側面板７０３と右側面板７０４の上端には、フランジ部７０６が形成される。フランジ部７０６は、上保持部６１８が装着部カバー６２１内に収容された際に、装着部カバー６２１のレール６２３に載せられ、レール６２３上を移動する。
【０２２９】
封止機構７１０は、固定封止部材７２０と、可動封止部材７３０と、Ｘ字型のリンク機構７４０と、取付部材７５０とを含む。固定封止部材７２０、可動封止部材７３０および取付部材７５０は、前面板７０１と後面板７０２との間に跨る長さを有する。固定封止部材７２０は、枠体７００内の右端、即ち右側面板７０４の内側に固定される。固定封止部材７２０の上面には、前側と後側に２つの突起７２１が設けられる。可動封止部材７３０は、左右方向に移動可能に枠体７００内に固定される。即ち、可動封止部材７３０の前端部と後端部にシャフト７３１が設けられ、このシャフト７３１が、前面板７０１と後面板７０２のガイド孔７０５に嵌め込まれ、可動封止部材７３０の移動に合わせてガイド孔７０５内を移動する。可動封止部材７３０の上面には、固定封止部材７２０の２つの突起７２１と前後方向において同じ位置に、２つの突起７３２が設けられる。リンク機構７４０は、十字に組まれた第１アーム７４１および第２アーム７４２を含み、可動封止部材７３０と取付部材７５０に連結される。取付部材７５０は、枠体７００内の左端、即ち左側面板７０３の内側に固定される。
【０２３０】
リンク機構７４０において、第１アーム７４１の一端側の軸７４１ａが、可動封止部材７３０に形成されたスリット状のガイド孔７３３に移動可能に嵌め込まれ、第２アーム７４２の一端側の軸７４２ａが、取付部材７５０に形成されたスリット状のガイド孔７５１に移動可能に嵌め込まれる。また、第１アーム７４１の他端側の軸７４１ｂが取付部材７５０に形成された孔７５２に回転可能に嵌め込まれ、第２アーム７４２の他端側の軸７４２ｂが、可動封止部材７３０に形成された孔７３４に回転可能に嵌め込まれる。
【０２３１】
リンク機構７４０は、第２アーム７４２の一端側の軸７４２ａを取付部材７５０のガイド孔７５１内で移動させることにより、左右方向に伸縮させることができる。リンク機構７４０が伸びると、可動封止部材７３０が固定封止部材７２０に当接できる位置まで左方向に移動する。リンク機構７４０が縮むと、可動封止部材７３０が右方向へ移動し、元の位置に戻る。
【０２３２】
また、後面板７０２には、収納袋６１６内が硬貨でフル状態（満杯状態）となったこと検知するフル検知センサ７６０が設けられる。フル検知センサ７６０は、たとえば、磁気センサであり、装着部６１７に装着された収納袋６１６の上部に位置するように取り付けられる。収納袋６１６内にフル状態の位置まで硬貨が貯められると、フル検知センサ７６０により硬貨が検知される。なお、フル検知センサ７６０は、他の方式により、収納袋６１６のフル状態を検知してもよい。たとえば、フル検知センサ７６０は、収納袋６１６内に硬貨が貯められたときの重量を検知することにより、フル状態を検知するものであってもよい。
【０２３３】
図２７は、収納袋６１６の構成を示す斜視図である。
【０２３４】
収納袋６１６は、透明、半透明または色つきのビニル樹脂（ポリエチレン、ポリオレフィン）等により形成される袋本体８００を備える。袋本体８００の上端部は、収納口８０１として開口する。袋本体８００には、収納口８０１の近傍のほぼ半面に、粘着剤が塗られた帯状の粘着面８０２が形成される。粘着面８０２には、剥離紙８０３が取り付けられる。収納口８０１には、封止機構７１０の固定封止部材７２０の突起７２１および可動封止部材７３０の突起７３２に引っ掛けられる４つのタブ８０４が形成される。タブ８０４には、突起７２１、７３２が挿入される孔８０５が形成される。
【０２３５】
収納処理が行われる際、ユーザは、筐体６００（収容部６１５）から装着部６１７を引き出し、収納袋６１６を装着部６１７に装着する。このとき、ユーザは、収納袋６１６の４つのタブ８０４を固定封止部材７２０と可動封止部材７３０の４つの突起７２１、７３２に引っ掛けるようにして、収納袋６１６の収納口８０１を固定封止部材７２０と可動封止部材７３０に保持させる。ユーザは、収納袋６１６の粘着面８０２から剥離紙８０３を剥がした後、収納袋６１６が装着された装着部６１７を筐体６００内に戻す。
【０２３６】
図２８は、硬貨処理装置６の構成を示すブロック図である。
【０２３７】
硬貨処理装置６は、上記の構成に加えて、制御部９０１と、記憶部９０２と、通信部９０３と、ロック装置９０４と、を備える。
【０２３８】
制御部９０１は、ＣＰＵ（Central Processing Unit）等の演算回路を備える。制御部９０１は、記憶部９０２に記憶された動作プログラムに従って、レシート印字ユニット６２４ａ、通信部９０３、表示部６２５、操作部６２６、投入部６２７、搬送部６２８、識別部６２９、封止機構７１０、ロック装置９０４等を制御する。
【０２３９】
通信部９０３は、制御部９０１からの制御に従って、プリンタ６２４ｂと通信を行う。
【０２４０】
ロック装置９０４は、装着部６１７が引き出せないように、装着部カバー６２１に対して扉６２２をロックする。たとえば、ロック装置９０４は、ソレノイドのオン・オフによりケースから出入りするプランジャを含み、プランジャを扉６２２に設けられた係合穴に嵌り込ませることにより、扉６２２をロックする。
【０２４１】
また、制御部９０１は、投入部６２７および搬送部６２８における硬貨の搬送動作を監視して、投入部６２７および搬送部６２８における硬貨詰まり（ジャム）を検知する。この他、制御部９０１は、フル検知センサ７６０の検知結果に基づいて、収納袋１８のフル状態を検知する。
また、記憶部９０２は、ＲＯＭ（Read Only Memory）、ＲＡＭ（Random Access Memory）やハードディスク等の記憶媒体を備え、制御部９０１の動作プログラムを記憶し、また、制御部９０１の制御処理の際にワーク領域として利用される。
【０２４２】
実施形態２の硬貨処理装置６による収納処理に関する各処理は、上記実施形態１の各処理と同様に行われる。ただし、図７のステップＳ１５の回収処理は、以下のように異なる。
【０２４３】
ステップＳ５１において、制御部９０１は、封止機構７１０を動作させ、収納袋６１６の収納口８０１を封止させる。
【０２４４】
ステップＳ５２において、制御部９０１は、レシート印字ユニット６２４ａを動作させ、レシート用紙に対する印字を行う（Ｓ５２）。この場合、レシート用紙に印字される情報は、上記実施形態１のレシート用紙１３２に印字される情報と同様である。また、制御部９０１は、通信部９０３を介してプリンタ６２４ｂを動作させ、ラベルシートの印字面に対する印字を行う。この場合、ラベルシートに印字される情報は、上記実施形態１の印字タグ１３０の印字領域１３１に印字される情報と同様である（図１６（ａ）、（ｂ）参照）。
【０２４５】
ステップＳ５４において、制御部９０１は、ロック装置９０４に解除動作を行わせて、扉６２２のロックを解除する。これにより、装着部６１７が筐体６００から引き出せるようになる。
【０２４６】
実施形態２では、ステップＳ５２において情報が印字されたラベルシートが、ユーザにより回収された収納袋６１６に貼付される。これにより、ユーザは、収納袋６１６に収納されている硬貨の在高情報を容易に把握することができる。
【０２４７】
なお、上記実施形態１では、図１９のステップＳ８６における振り分け処理において、再投入された硬貨を収納袋１８とリジェクト箱２６とに振り分ける処理が行われていた。実施形態２では、上記実施形態１と同様に、再投入された硬貨が収納袋６１６とリジェクト硬貨収納箱（図示せず）とに振り分けられる。この他、実施形態２では、当該振分処理において、リジェクト箱に替えて、６つの金種別硬貨収納箱６１３に、リジェクト対象の硬貨が振り分けられてもよい。
【０２４８】
また、上記実施形態２では、収納袋６１６自身に、当該収納袋６１６に収納されている在高情報が印字されてもよい。
【０２４９】
図２９は、上記実施形態２の変更例に係る、収納袋６１６の構成を示す斜視図である。
【０２５０】
収納袋６１６には、収納口８０１に、収納された硬貨の在高情報が印字されるタブ状の被印字部８０６が形成される。この場合、硬貨処理装置６には、在高情報を印字するための印字ユニットが、装着部６１７に設けられる。
【０２５１】
また、上記実施形態２では、収納袋６１６の収納口８０１が粘着面８０２による接着によって封止された。しかしながら、収納袋６１６の収納口８０１がヒートシールによって封止されるような構成が採られてもよい。この場合、固定封止部材７２０と可動封止部材７３０には、互いに当接する面にヒートシール用のヒータが設けられる。固定封止部材７２０と可動封止部材７３０と間に収納口８０１がはさみ込まれた状態でヒータに通電されると、収納口８０１の部分が溶着（接着）する。これにより、収納袋６１６の収納口８０１が封止される。
【０２５２】
また、上記実施形態２では、６つの金種別硬貨収納箱６１３が設けられていたが、これら金種別硬貨収納箱６１３を省略して装置が構成されてもよい。
【０２５３】
＜その他の変更例＞
上記実施形態１では、取消処理において、再投入されて振り分けられた硬貨のうち、リジェクト箱２６に収納された硬貨の金額を、操作表示部１３の画面に表示してもよい。上記実施形態２の場合は、リジェクト硬貨収納箱（図示せず）に収納された硬貨の金額が表示部６２５に表示されてもよい。
【０２５４】
また、在高履歴ファイル４０２ａに登録される情報は、図１１に示す情報に限られない。たとえば、ステータスは、袋番号に一括して対応付けられてもよい。また、日付の欄に追加して当該取引が行われた時刻が登録されてもよい。また、取引ごとに各金種の合計が対応付けられてもよい。
【０２５５】
さらに、上記実施形態１の構成において、収納袋１８の封緘する部材は、封緘具１９に限定されない。たとえば、紐により収納袋１８を締め付けて封緘する構成が用いられてもよい。また、収納袋１８の封緘は、自動に限らず、手動で行われてもよい。
【０２５６】
さらに、上記実施形態１の構成において、封緘具１９に印字タグ１３０が設けられなくてもよい。たとえば、実施形態２と同様、装置と通信部を介して接続されるプリンタを用いて、ラベルシールに硬貨の在高情報を印字するように構成してもよい。この場合、ユーザは印字されたラベルシールを回収済の収納袋１８に貼り付ける。
【０２５７】
さらに、上記実施形態１の構成において、印字タグ１３０に印字される情報は、上記実施形態１に記載の情報に限られない。たとえば、印字領域１３１が広ければ、さらに、取引ごとに、金種ごとの枚数および金額、および合計金額が印字されてもよい。また、回収した日付とともに時刻が印字されてもよい。また、印字領域１３１が狭小であれば、支店名や金種ごとの枚数は印字されなくてもよい。
【０２５８】
さらに、印字タグ１３０に印字される情報は、収納袋１８に収納されている硬貨の計数結果および当該収納袋１８の袋番号の少なくとも一方の情報を含むものであってもよい。この場合、硬貨の計数結果は、たとえば、上記したとおり、金種ごとの枚数および金額、および合計金額が含まれる。
【０２５９】
さらに、レシート用紙に印字される情報は、上記実施形態１に記載の情報に限られない。たとえば、取引ごとに合計金額が印字されてもよい。また、回収した日付とともに時刻が印字されてもよい。また、支店名は印字されなくてもよい。
【０２６０】
さらに、レシート用紙に印字される情報が、操作表示部１３の画面や表示部６２５に表示されてもよい。
【０２６１】
また、上記実施形態１の構成において、ホッパー１１の容量が小さい場合、全ての硬貨をホッパー１１に投入することができないため、ホッパー１１への硬貨の投入を複数回に分けて行うことが起こり得る。この場合、ユーザが同じ取引番号に含めたい硬貨を継続してホッパー１１に投入できるよう、図９のステップＳ２７において操作表示部１３の画面に表示される図１０（ｃ）の選択画面５２２に継続ボタンが含まれる。ユーザが継続ボタンを操作すると、制御部４０１は、処理をステップＳ２２に戻す。そして、制御部４０１は、ステップＳ２２〜２７の処理を再度行う。ユーザは、同じ取引に含めたい硬貨の投入が完了すると、図９のステップＳ２７において、選択画面５２２のボタン５２２ｄ（図１０（ｃ））を操作する。この場合、同じ取引で複数回の計数処理が行われているため、制御部４０１は、各計数処理の結果を算出し、算出した各計数結果の総計をその取引の計数結果として在高履歴ファイル４０２ａに登録する。
【０２６２】
また、上記実施形態１の構成では、ホッパー１１の容量が大きい場合、フル処理により、１取引の硬貨が３つ以上の収納袋１８に収納されることが起こり得る。この場合、在高履歴ファイル４０２ａには、たとえば、取引番号が「０００４−１」、「０００４−２」、「０００４−３」と、ハイフン以降の数が収納袋１８の数に応じて増加するように登録される。これにより、ホッパー１１の容量に応じて、ユーザは取引を行うことができる。この点は、実施形態２においても同様である。
【０２６３】
また、上記実施形態１では、図１６のフル検知処理において、ユーザが取引の取消操作を行った場合に（Ｓ６４：ＹＥＳ）、図１９の取消処理が行われたが、他の場面で取消処理が行われてもよい。たとえば、図１０（ｃ）の選択画面５２２に当該取引を取り消すためのボタンが含まれ、このボタンが操作されたことに応じて、図１９の取消処理が行われてもよい。あるいは、図１０（ｂ）の計数処理画面５２１に当該取引を取り消すためのボタンが含まれ、このボタンが操作されたことに応じて、図１９の取消処理が行われてもよい。この場合、制御部４０１は、計数処理を終了した後、図１９の取消処理を行う。
【０２６４】
また、上記実施形態１では、フル検知処理において収納袋１８の満杯が検知された場合、一旦、処理を継続するか否かがユーザに問い合わされたが、フル検知時に、ユーザへの問い合わせ無しに、そのまま処理を継続する工程へと移行してもよく、あるいは、フル検知時に、ユーザへの問い合わせ無しに、そのまま処理を取り消す工程へと移行してもよい。また、図８（ｂ）の受付画面５１０のボタン５１１が操作されることに応じて、フル検知時に処理を継続するか取り消すかの選択を受け付け、その後、図１０（ａ）の投入要求画面５２０へと移行してもよい。あるいは、硬貨処理装置１の導入時等において、フル検知時に処理を継続するか取り消すかの設定がユーザによりなされてもよい。店舗の運用に応じて、当該設定が予めなされてもよい。
【０２６５】
また、上記実施形態１では、図８（ｂ）の受付画面５１０のボタン５１１が操作されることに応じて、取引番号が設定されたが（図９のステップＳ２１）、図９のステップＳ２９において計数結果が登録される際に取引番号が設定されてもよい。
【０２６６】
また、上記実施形態１では、回収処理において、収納袋１８に対応付けられている各取引のステータスが「未回収」から「回収済」に変更されるタイミング（Ｓ５３）は、封緘具１９による収納袋１８の封緘が行われた後であれば、他のタイミングであってもよい。たとえば、上記変更が、収納袋１８の封緘が行われたタイミングでなされてもよく、あるいは、ユーザが収納袋１８をシュート１６から取り出したタイミングでなされてもよい。
【０２６７】
また、上記実施形態１では、消去処理において、特定した袋番号の収納袋１８に対応付けられている各取引の履歴情報が消去されたが、これに代えて、特定した袋番号の収納袋１８に対応付けられている各取引のステータスが、「回収済」から「開封済」に変更されてもよい。この場合、ステータスが「開封済」に変更された取引の取引結果は、集計処理には反映されない。
【０２６８】
また、硬貨処理装置１、６の構成も、上記実施形態１、２の構成に限らず、たとえば、操作表示部１３が、装置本体とは独立し、且つ、装置本体と通信可能な端末であってもよい。さらに、上記実施形態１、２では、処理対象の貨幣が硬貨であったが、硬貨に限らず紙幣が収納袋に収納される貨幣処理装置に本発明が適用されてもよい。
【０２６９】
この他、本発明の実施形態は、特許請求の範囲に記載の範囲で適宜変更可能である。
【符号の説明】
【０２７０】
１、６  硬貨処理装置（貨幣処理装置）
２６  リジェクト箱（他の収納部）
１８、６１６  収納袋
２０  封緘ユニット（収納処理部）
２８、７６０  フル検知センサ（検出部）
５０、６２９  識別部（計数部）
１４、６２４ａ  レシート印字ユニット（出力部）
２１  印字ユニット（出力部）
６２４ｂ  プリンタ（出力部）
１９  封緘具（封止部材）
４０１、９０１  制御部
４０２、９０２  記憶部
【図１】
0006971530.tif 000002
【図２】
0006971530.tif 000003
【図３】
0006971530.tif 000004
【図４】
0006971530.tif 000005
【図５】
0006971530.tif 000006
【図６】
0006971530.tif 000007
【図７】
0006971530.tif 000008
【図８】
0006971530.tif 000009
【図９】
0006971530.tif 000010
【図１０】
0006971530.tif 000011
【図１１】
0006971530.tif 000012
【図１２】
0006971530.tif 000013
【図１３】
0006971530.tif 000014
【図１４】
0006971530.tif 000015
【図１５】
0006971530.tif 000016
【図１６】
0006971530.tif 000017
【図１７】
0006971530.tif 000018
【図１８】
0006971530.tif 000019
【図１９】
0006971530.tif 000020
【図２０】
0006971530.tif 000021
【図２１】
0006971530.tif 000022
【図２２】
0006971530.tif 000023
【図２３】
0006971530.tif 000024
【図２４】
0006971530.tif 000025
【図２５】
0006971530.tif 000026
【図２６】
0006971530.tif 000027
【図２７】
0006971530.tif 000028
【図２８】
0006971530.tif 000029
【図２９】
0006971530.tif 000030